(57)【要約】  消費電力を抑制しながらも遠隔制御装置で映像表示装置の状態を常時把握することができる制御システム、映像表示装置及び遠隔制御装置を提供する。  受像機（映像表示装置）１は、どのような種類の映像を表示している状態であるかを検出し、状態に変化があった場合に、検出した状態を示す状態情報をリモコン（遠隔制御装置）２へ送信し、リモコン２は、受像機１の状態を表示部に表示する。また受像機１は、接続されている外部機器３で実行している処理の内容を検出し、検出した内容を示す情報をリモコン２へ送信し、リモコン２は、外部機器３での処理の内容を表示部に表示する。またリモコン２は、時間経過に応じて表示部の表示をオフにし、使用者がリモコン２を持ち上げた場合等、使用者が任意の操作を行った場合に、状態情報を受像機１に要求し、受像機１又は外部機器３の動作状況を表示部に表示する。
2010026717.tif 000002
【特許請求の範囲】
【請求項１】
映像表示装置と、該映像表示装置の動作を制御するための操作を受け付けて制御信号を前記映像表示装置へ送信する遠隔制御装置とを備え、前記映像表示装置及び前記遠隔制御装置は双方向に通信を行うことができる制御システムにおいて、
前記映像表示装置は、
どのような種類の映像を表示している状態であるかを検出する手段と、
該手段が検出する状態が変化した場合に、該映像表示装置の状態を示す状態情報を前記遠隔制御装置へ送信する手段とを有し、
前記遠隔制御装置は、
表示部と、
前記映像表示装置から状態情報を受信した場合に、受信した状態情報が示す前記映像表示装置の状態を表示部に表示する手段を有すること
を特徴とする制御システム。
【請求項２】
前記遠隔制御装置は、
時間経過に応じて、該遠隔制御装置の表示部への供給電力を低下させる手段と、
前記表示部への供給電力が低下した状態での任意の操作を待ち受ける手段と、
該手段が任意の操作を受け付けた場合に、前記映像表示装置の状態を示す状態情報の要求を前記映像表示装置へ送信する手段と、
前記表示部への供給電力を回復させる手段とを更に有し、
前記映像表示装置は、
状態情報の要求を前記遠隔制御装置から受信した場合に、該映像表示装置の状態を示す状態情報を前記遠隔制御装置へ送信する手段を更に有すること
を特徴とする請求項１に記載の制御システム。
【請求項３】
前記遠隔制御装置は、
前記映像表示装置から受信した状態情報が示す前記映像表示装置の状態に応じた操作を受け付けるための操作画面を表示部に表示する手段を更に有すること
を特徴とする請求項１又は２に記載の制御システム。
【請求項４】
前記映像表示装置は、
外部機器が接続可能であり、
接続されている外部機器が実行している処理の内容を検出する手段と、
該手段が検出した前記外部機器での処理の内容を示す情報を前記遠隔制御装置へ送信する手段とを更に有し、
前記遠隔制御装置は、
前記映像表示装置から受信した情報が示す前記外部機器での処理の内容を表示部に表示する手段を有すること
を特徴とする請求項１から３までのいずれか一つに記載の制御システム。
【請求項５】
前記遠隔制御装置は、
前記外部機器の動作を制御するための操作を受け付ける手段と、
前記映像表示装置から受信した情報が示す前記外部機器での処理の内容に応じた操作を受け付けるための操作画面を表示部に表示する手段と、
受け付けた操作に応じた前記外部機器の動作を制御するための制御信号を前記映像表示装置へ送信する手段を更に有し、
前記映像表示装置は、
受信した前記制御信号に従って、前記外部機器の動作を制御する手段を備えること
を特徴とする請求項４に記載の制御システム。
【請求項６】
外部との間で双方向通信を行うことが可能であり、外部から制御信号を受信し、受信した制御信号に従って動作を制御する映像表示装置において、
どのような種類の映像を表示している状態であるかを検出する状態検出手段と、
該手段が検出する状態が変化した場合に、前記状態検出手段が検出した状態を示す状態情報を外部へ送信する手段と
を備えることを特徴とする映像表示装置。
【請求項７】
外部から状態情報の要求を受信する手段と、
該手段が状態情報の要求を受信した場合に、前記状態検出手段が検出した状態を示す状態情報を外部へ送信する手段と
を更に備えることを特徴とする請求項６に記載の映像表示装置。
【請求項８】
外部機器が接続可能であり、
接続されている外部機器が実行している処理の内容を検出する手段と、
該手段が検出した前記外部機器での処理の内容を示す情報を外部へ送信する手段と
を更に備えることを特徴とする請求項６又は７に記載の映像表示装置。
【請求項９】
放送を受信する手段と、
外部から映像データの入力を受け付ける手段とを更に備え、
前記状態検出手段は、受信した放送に基づいた映像を表示する状態であるか否か、いずれのチャンネルの放送に基づいた映像を表示する状態であるか、いずれの番組の放送に基づいた映像を表示する状態であるか、又は外部から入力されたデータに基づいた映像を表示する状態であるか否かを検出するように構成してあること
を特徴とする請求項６から８までのいずれか一つに記載の映像表示装置。
【請求項１０】
映像を表示する外部装置との間で双方向通信を行うことが可能であり、前記外部装置の動作を制御するための操作を受け付けて制御信号を前記外部装置へ送信する遠隔制御装置において、
表示部と、
前記外部装置がどのような種類の映像を表示している状態であるかを示す状態情報を受信する手段と、
該手段が状態情報を受信した場合に、受信した状態情報が示す前記外部装置の状態を表示部に表示する手段と
を備えることを特徴とする遠隔制御装置。
【請求項１１】
時間経過に応じて、表示部への供給電力を低下させる手段と、
表示部への供給電力が低下した状態での任意の操作を待ち受ける待ち受け手段と、
該待ち受け手段が任意の操作を受け付けた場合に、状態情報の要求を前記外部装置へ送信する手段と、
表示部への供給電力を回復させる手段と
を更に備えることを特徴とする請求項１０に記載の遠隔制御装置。
【請求項１２】
変動を検出する変動センサを更に備え、
前記待ち受け手段は、前記変動センサが所定量以上の変動を検出した場合に操作を受け付けたと判定するように構成してあること
を特徴とする請求項１１に記載の遠隔制御装置。
【請求項１３】
使用者による接触を検出する接触センサを更に備え、
前記待ち受け手段は、前記接触センサが接触を検出した場合に操作を受け付けたと判定するように構成してあること
を特徴とする請求項１１又は１２に記載の遠隔制御装置。
【請求項１４】
受信した状態情報が示す前記外部装置の状態に応じた操作を受け付けるための操作画面を表示部に表示する手段を更に有すること
を特徴とする請求項１０から１３までのいずれか一つに記載の遠隔制御装置。
【請求項１５】
前記外部装置に接続されている他の機器が実行している処理の内容を示す情報を前記外部装置から受信する手段と、
受信した前記情報が示す前記他の機器での処理の内容を表示部に表示する手段と
を更に備えることを特徴とする請求項１０から１４までのいずれか一つに記載の遠隔制御装置。
【請求項１６】
前記他の機器の動作を制御するための操作を受け付ける手段と、
前記外部装置から受信した情報が示す前記他の機器での処理の内容に応じた操作を受け付けるための操作画面を表示部に表示する手段と、
受け付けた操作に応じた前記他の機器の動作を制御するための制御信号を前記外部装置へ送信する手段と
を更に備えることを特徴とする請求項１５に記載の遠隔制御装置。
【発明の詳細な説明】
【技術分野】
【０００１】
本発明は、遠隔制御装置を用いて映像表示装置を制御する制御システムに関し、より詳しくは、映像表示装置の状態を遠隔制御装置で把握しながら制御を行う制御システム、映像表示装置、及び遠隔制御装置に関する。
【背景技術】
【０００２】
テレビジョン放送の映像を表示する受像機（映像表示装置）は、多くの場合、使用者が操作するリモコン（リモートコントローラ，遠隔制御装置）からの信号を受信し、受信した信号に応じてチャンネル切り替え等の制御を行う構成となっている。受像機は、受信中のチャンネル等の現在の状態を示す画面及びメニュー画面等を表示し、使用者は受像機が表示した画面を確認しながらリモコン上のボタンを押下することで、リモコンから受像機へ制御用の信号が送信される。このような従来の受像機では、使用者は、受像機の画面とリモコンとの両方を目で確認しながら操作を行う必要がある。【０００３】
特許文献１及び２には、リモコンに小型のディスプレイを備え、リモコンと受像機等の被操作機器との間で双方向通信が可能な構成とし、リモコンのディスプレイに被操作機器の状態を示す画面を表示する技術が記載されている。この技術を利用することにより、使用者は、受像機の画面とリモコンとの両方を確認する必要がなくなり、リモコンのディスプレイのみを確認しながら受像機の操作を行うことができるので、受像機の操作がより容易となる。また特許文献３には、リモコンから被操作機器へ信号を送信した後の一定期間リモコンで信号を受信可能とし、被操作機器からリモコンへ信号が送信された場合に、信号に応じた情報をリモコンのディスプレイに表示する技術が記載されている。この技術では、リモコンが信号の受信を待機する時間が限定されているので、リモコンの省電力を図ることができる。
【先行技術文献】
【特許文献】
【０００４】
【特許文献１】特開２００２−２９１０６７号公報
【特許文献２】特開２００３−３３３３６２号公報
【特許文献３】特開平１−１１９１９７号公報
【発明の概要】
【発明が解決しようとする課題】
【０００５】
特許文献１及び２に記載の技術では、受像機の状態をリモコンのディスプレイに表示するためには、常にリモコンと受像機との間で通信を行っている必要があり、リモコンでの消費電力が大きいという問題がある。また特許文献３に記載の技術では、リモコンの消費電力は抑制できるものの、リモコンは信号を送信した後の一定期間しか受像機からの信号を受信できないので、一定期間が経過した後に受像機の状態が変化した場合は、リモコンは受像機の状態を把握することができないという問題がある。【０００６】
本発明は、斯かる事情に鑑みてなされたものであって、その目的とするところは、必要なときに映像表示装置の状態を示す情報を映像表示装置から遠隔制御装置へ送信することによって、遠隔制御装置での消費電力を抑制しながらも遠隔制御装置で映像表示装置の状態を常時把握することができる制御システム、映像表示装置及び遠隔制御装置を提供することにある。
【課題を解決するための手段】
【０００７】
本発明に係る制御システムは、映像表示装置と、該映像表示装置の動作を制御するための操作を受け付けて制御信号を前記映像表示装置へ送信する遠隔制御装置とを備え、前記映像表示装置及び前記遠隔制御装置は双方向に通信を行うことができる制御システムにおいて、前記映像表示装置は、どのような種類の映像を表示している状態であるかを検出する手段と、該手段が検出する状態が変化した場合に、該映像表示装置の状態を示す状態情報を前記遠隔制御装置へ送信する手段とを有し、前記遠隔制御装置は、表示部と、前記映像表示装置から状態情報を受信した場合に、受信した状態情報が示す前記映像表示装置の状態を表示部に表示する手段を有することを特徴とする。【０００８】
本発明に係る制御システムは、前記遠隔制御装置は、時間経過に応じて、該遠隔制御装置の表示部への供給電力を低下させる手段と、前記表示部への供給電力が低下した状態での任意の操作を待ち受ける手段と、該手段が任意の操作を受け付けた場合に、前記映像表示装置の状態を示す状態情報の要求を前記映像表示装置へ送信する手段と、前記表示部への供給電力を回復させる手段とを更に有し、前記映像表示装置は、状態情報の要求を前記遠隔制御装置から受信した場合に、該映像表示装置の状態を示す状態情報を前記遠隔制御装置へ送信する手段を更に有することを特徴とする。【０００９】
本発明に係る制御システムは、前記遠隔制御装置は、前記映像表示装置から受信した状態情報が示す前記映像表示装置の状態に応じた操作を受け付けるための操作画面を表示部に表示する手段を更に有することを特徴とする。【００１０】
本発明に係る制御システムは、前記映像表示装置は、外部機器が接続可能であり、接続されている外部機器が実行している処理の内容を検出する手段と、該手段が検出した前記外部機器での処理の内容を示す情報を前記遠隔制御装置へ送信する手段とを更に有し、前記遠隔制御装置は、前記映像表示装置から受信した情報が示す前記外部機器での処理の内容を表示部に表示する手段を有することを特徴とする。【００１１】
本発明に係る制御システムは、前記遠隔制御装置は、前記外部機器の動作を制御するための操作を受け付ける手段と、前記映像表示装置から受信した情報が示す前記外部機器での処理の内容に応じた操作を受け付けるための操作画面を表示部に表示する手段と、受け付けた操作に応じた前記外部機器の動作を制御するための制御信号を前記映像表示装置へ送信する手段を更に有し、前記映像表示装置は、受信した前記制御信号に従って、前記外部機器の動作を制御する手段を備えることを特徴とする。【００１２】
本発明に係る映像表示装置は、外部との間で双方向通信を行うことが可能であり、外部から制御信号を受信し、受信した制御信号に従って動作を制御する映像表示装置において、どのような種類の映像を表示している状態であるかを検出する状態検出手段と、該手段が検出する状態が変化した場合に、前記状態検出手段が検出した状態を示す状態情報を外部へ送信する手段とを備えることを特徴とする。【００１３】
本発明に係る映像表示装置は、外部から状態情報の要求を受信する手段と、該手段が状態情報の要求を受信した場合に、前記状態検出手段が検出した状態を示す状態情報を外部へ送信する手段とを更に備えることを特徴とする。【００１４】
本発明に係る映像表示装置は、外部機器が接続可能であり、接続されている外部機器が実行している処理の内容を検出する手段と、該手段が検出した前記外部機器での処理の内容を示す情報を外部へ送信する手段とを更に備えることを特徴とする。【００１５】
本発明に係る映像表示装置は、放送を受信する手段と、外部から映像データの入力を受け付ける手段とを更に備え、前記状態検出手段は、受信した放送に基づいた映像を表示する状態であるか否か、いずれのチャンネルの放送に基づいた映像を表示する状態であるか、いずれの番組の放送に基づいた映像を表示する状態であるか、又は外部から入力されたデータに基づいた映像を表示する状態であるか否かを検出するように構成してあることを特徴とする。【００１６】
本発明に係る遠隔制御装置は、映像を表示する外部装置との間で双方向通信を行うことが可能であり、前記外部装置の動作を制御するための操作を受け付けて制御信号を前記外部装置へ送信する遠隔制御装置において、表示部と、前記外部装置がどのような種類の映像を表示している状態であるかを示す状態情報を受信する手段と、該手段が状態情報を受信した場合に、受信した状態情報が示す前記外部装置の状態を表示部に表示する手段とを備えることを特徴とする。【００１７】
本発明に係る遠隔制御装置は、時間経過に応じて、表示部への供給電力を低下させる手段と、表示部への供給電力が低下した状態での任意の操作を待ち受ける待ち受け手段と、該待ち受け手段が任意の操作を受け付けた場合に、状態情報の要求を前記外部装置へ送信する手段と、表示部への供給電力を回復させる手段とを更に備えることを特徴とする。【００１８】
本発明に係る遠隔制御装置は、変動を検出する変動センサを更に備え、前記待ち受け手段は、前記変動センサが所定量以上の変動を検出した場合に操作を受け付けたと判定するように構成してあることを特徴とする。【００１９】
本発明に係る遠隔制御装置は、使用者による接触を検出する接触センサを更に備え、前記待ち受け手段は、前記接触センサが接触を検出した場合に操作を受け付けたと判定するように構成してあることを特徴とする。【００２０】
本発明に係る遠隔制御装置は、受信した状態情報が示す前記外部装置の状態に応じた操作を受け付けるための操作画面を表示部に表示する手段を更に有することを特徴とする。【００２１】
本発明に係る遠隔制御装置は、前記外部装置に接続されている他の機器が実行している処理の内容を示す情報を前記外部装置から受信する手段と、受信した前記情報が示す前記他の機器での処理の内容を表示部に表示する手段とを更に備えることを特徴とする。【００２２】
本発明に係る遠隔制御装置は、前記他の機器の動作を制御するための操作を受け付ける手段と、前記外部装置から受信した情報が示す前記他の機器での処理の内容に応じた操作を受け付けるための操作画面を表示部に表示する手段と、受け付けた操作に応じた前記他の機器の動作を制御するための制御信号を前記外部装置へ送信する手段とを更に備えることを特徴とする。【００２３】
本発明においては、映像表示装置は、受信した放送信号若しくは外部から入力された映像信号等の複数種類の映像源に基づいた映像、電子番組表の映像、又は二つの映像を同時に表示する二画面映像等、複数種類の映像を表示可能である。映像表示装置は、現在いずれの種類の映像を表示している状態であるかを随時検出し、検出した状態に変化があった場合に、検出した状態を示す状態情報を遠隔制御装置へ送信する。遠隔制御装置は、状態情報が示す映像表示装置の状態を表示部に表示することにより、表示部には常に最新の映像表示装置の状態が表示される。【００２４】
また本発明においては、遠隔制御装置は、最後に表示を更新した時点又は最後に操作を受け付けた時点等の特定の時点から所定の時間が経過したことに応じて、表示部への供給電力を低下させる。遠隔制御装置は、表示部への供給電力を低下させた状態で使用者から任意の操作を受け付けた場合に、映像表示装置へ状態情報の要求を送信する。これにより、遠隔制御装置は、表示部の消費電力を削減すると共に、必要時に映像表示装置の状態を表示部に表示する。【００２５】
また本発明においては、遠隔制御装置は、状態情報に基づいて、映像表示装置の状態に応じた操作を受け付けるための操作画面を表示部に表示することにより、映像表示装置の現在の状態に応じた制御を行うための操作画面が表示される。【００２６】
また本発明においては、映像表示装置は、映像表示装置に接続されている録画装置等の外部機器で実行している処理の内容を検出し、外部機器での処理の内容を示す情報を遠隔制御装置へ送信する。遠隔制御装置は、情報が示す外部機器での処理の内容を表示部に表示する。これにより、遠隔制御装置の表示部には、最新の外部機器の状態が表示される。【００２７】
また本発明においては、遠隔制御装置は、外部機器での処理の内容に応じた操作を受け付けるための操作画面を表示部に表示し、映像表示装置は、受け付けた操作に応じて外部機器の動作を制御する。外部機器の現在の状態に応じた内容の操作画面が表示されることにより、状況に合った適切な制御が実行可能となる。【００２８】
また本発明においては、映像表示装置が検出すべき自己の状態として、受信した放送に基づいた映像を表示する状態であるか否か、いずれのチャンネルの映像を表示する状態であるか、いずれの番組の映像を表示する状態であるか、又は外部から入力された映像データに基づいた映像を表示する状態であるか否かが検出され、これらの内容を遠隔制御装置で把握することができる。【００２９】
また本発明においては、遠隔制御装置は、振動等の変動を検出する変動センサが所定量以上の変動を検出した場合に使用者からの操作を受け付けたと判定することにより、使用者が遠隔制御装置を持ち上げた場合、叩いた場合、又は振った場合等に映像表示装置へ状態情報の要求を送信する。【００３０】
また本発明においては、遠隔制御装置は、接触センサが使用者による接触を検出した場合に使用者からの操作を受け付けたと判定することにより、使用者が遠隔制御装置を手で所持した場合に映像表示装置へ状態情報の要求を送信する。
【発明の効果】
【００３１】
本発明にあっては、映像表示装置と遠隔制御装置とは常時通信を行うのではなく、映像表示装置の状態が変化した場合に状態情報を遠隔制御装置へ送信するので、映像表示装置の状態が変化する都度映像表示装置の状態が遠隔制御装置に表示される。これにより、制御システムは、必要な消費電力を抑制しながらも、遠隔制御装置を用いて、刻々と変化する映像表示装置の状態を常時使用者に把握させることができる等、本発明は優れた効果を奏する。
【図面の簡単な説明】
【００３２】
【図１】本発明の制御システムの外観を示す概念図である。
【図２】本発明の映像表示装置である受像機の内部構成を示すブロック図である。
【図３】本発明の遠隔制御装置であるリモコンの内部構成を示すブロック図である。
【図４】検出した受像機の状態をリモコンで表示する処理の手順を示すフローチャートである。
【図５Ａ】リモコンの表示部が表示する画面例を示す模式図である。
【図５Ｂ】リモコンの表示部が表示する画面例を示す模式図である。
【図５Ｃ】リモコンの表示部が表示する画面例を示す模式図である。
【図６】リモコンで状態情報を要求し、受像機の状態を表示する処理の手順を示すフローチャートである。
【符号の説明】
【００３３】
１  受像機（映像表示装置）
１０１  制御部
１０２  チューナ部
１１２  インタフェース部
１１３  外部機器管理部
１１４  送信部
１１５  受信部
２  リモコン（遠隔制御装置）
２１  制御部
２２  操作部
２２１  タッチパネル
２２２  入力ボタン部
２４  受信部
２５  送信部
２７  表示部
２８  圧力センサ
２９  振動センサ
３  外部機器
【発明を実施するための形態】
【００３４】
以下本発明をその実施の形態を示す図面に基づき具体的に説明する。
図１は、本発明の制御システムの外観を示す概念図である。本発明の制御システムは、本発明の映像表示装置である受像機１と、使用者からの操作を受け付け、受け付けた操作に応じた制御信号を受像機１へ送信するリモコン（遠隔制御装置）２とを含んでなる。受像機１は、テレビジョン放送を受信し、受信した放送に基づいた映像を表示する。受像機１とリモコン２との間では、双方向の無線通信が可能となっており、受像機１は、リモコン２からの制御信号に応じた制御を行う。また受像機１は、録画装置又はチューナ装置等の外部機器３が接続可能であり、リモコン２は、外部機器３の動作を制御するための制御信号を受像機１へ送信し、受像機１はリモコン２からの制御信号に応じて外部機器３の制御を行うことが可能である。
【００３５】
図２は、本発明の映像表示装置である受像機１の内部構成を示すブロック図である。受像機１は、演算を行う演算部、演算に伴う情報を記憶するＲＡＭ、演算に必要なプログラムを記憶するＲＯＭ等からなり、受像機１の各部の動作を制御する制御部１０１を備える。また受像機１は、チューナ部１０２、復調部１０３及びＴＳ（Transport Stream）デコーダ１０４を備えている。チューナ部１０２は、図示しないアンテナ又は有線放送の信号線等に接続されており、アンテナ又は信号線を介してデジタル放送の放送信号を受信し、選局されたチャンネル即ち特定の周波数帯の放送信号をデータ信号に変換する。復調部１０３は、チューナ部１０２が変換したデータ信号から、選局されたチャンネルのＴＳデータを生成する。ＴＳデコーダ１０４は、ＴＳデータを、映像用のデータを含むＴＳデータ又は各種の情報を含むＴＳデータ等、各種のＴＳデータに分離する。
【００３６】
ＴＳデコーダ１０４には、ＡＶ（Audio Visual）デコーダ１０５及び情報抽出部１０９が接続されている。ＡＶデコーダ１０５は、映像用のデータ及び音声用のデータを含むＴＳデータから、選局されたチャンネルで放送された番組の映像及び音声を表す映像データ及び音声データを生成する。またＡＶデコーダ１０５は、映像データ及び音声データを生成する処理の際には、暗号化解除等の必要な処理を実行する。情報抽出部１０９は、ＥＰＧ（電子番組表）用のデータ、受信中のチャンネルを示す情報、及び受信中の番組名を示す情報等の各種の情報を、ＴＳデータから抽出する。情報抽出部１０９には、メモリで構成された情報蓄積部１１０が接続されている。情報蓄積部１１０は、情報抽出部１０９が抽出した各種の情報を蓄積する。また情報蓄積部１１０は制御部１０１に接続されている。制御部１０１は、蓄積されている情報を情報蓄積部１１０から読み出す処理を行う。
【００３７】
制御部１０１には、ＯＳＤ（On Screen Display ）生成部１１１が接続されている。制御部１０１は、必要に応じて情報蓄積部１１０から読み出した情報をＯＳＤ生成部１１１へ入力し、ＯＳＤ生成部１１１は、入力された情報の内容をＯＳＤで表示するためのＯＳＤ映像を生成する。ＡＶデコーダ１０５及びＯＳＤ生成部１１１には、映像合成部１０６が接続されている。映像合成部１０６は、ＡＶデコーダ１０５が生成した映像データに基づいた映像とＯＳＤ生成部１１１が生成したＯＳＤ映像とを合成する処理を行う。映像合成部１０６は、液晶パネル、ＥＬ（Electro-Luminescence）パネル又はプラズマディスプレイパネル等を用いて映像を表示する表示部１０７に接続されている。映像合成部１０６は、合成した信号を表す映像信号を表示部１０７へ入力し、表示部１０７は、映像信号に基づいた映像を表示する。このようにして、放送された番組の映像が表示部１０７で表示される。またＡＶデコーダ１０５には、スピーカ等の音声出力部１０８が接続されている。音声出力部１０８は、ＡＶデコーダ１０５が生成した音声信号に基づいた音声を出力する。
【００３８】
また受像機１は、録画装置又はチューナ装置等の外部機器３と接続するためのインタフェース部１１２を備えている。インタフェース部１１２は、ＨＤＭＩ（High Definition Multimedia Interface）又はｉＬｉｎｋ等のインタフェースを用いて構成されている。インタフェース部１１２は、ケーブルを介して外部機器３と接続され、ＴＳデータ及び制御信号を外部機器３との間で送受信する。通常、インタフェース部１１２は複数の外部機器３と接続可能な構成となっている。なお、インタフェース部１１２は複数種類のインタフェースを用いる形態であってもよい。
【００３９】
インタフェース部１１２には、外部機器３の状態を管理するための処理を行う外部機器管理部１１３が接続されている。外部機器管理部１１３は、制御部１０１及びＴＳデコーダ１０４に接続されており、インタフェース部１１２が外部機器３から受信したデータの内、ＴＳデータをＴＳデコーダ１０４へ入力し、制御信号を制御部１０１へ入力する。ＴＳデコーダ１０４は、外部機器管理部１１３から入力されたデータについても、復調部１０３から入力されたデータと同様の処理を行う。これにより、表示部１０７は、外部機器３から入力された映像を表示部１０７に表示することができる。また制御部１０１は、インタフェース部１１２及び外部機機器管理部１１３を介して、外部機器３との間で制御信号を送受信する処理を行う。また外部機器管理部１１３は、メモリを有しており、外部機器３に関する情報を記憶する。
【００４０】
また制御部１０１には、ブルートゥース等の無線通信方式でリモコン２との間で情報を送受信する送信部１１４及び受信部１１５が接続されている。制御部１０１は、送信部１１４を用いてリモコン２へ情報を送信する処理を行い、受信部１１５でリモコン２からの情報を受信する。送信部１１４及び受信部１１５を用いることで、受像機１は、リモコン２との間で双方向通信を行う。更に制御部１０１には、各種の入力ボタンからなり、使用者からの操作を受け付ける操作部１１６が接続されている。操作部１１６を使用者が操作することにより、制御部１０１は、電源のオン／オフ、チャンネルの変更、又はデータを入力される外部機器３の切り替え等の各種の指示を使用者から受け付ける。
【００４１】
図３は、本発明の遠隔制御装置であるリモコン２の内部構成を示すブロック図である。リモコン２は、リモコン２の各部の動作を制御する制御部２１と、使用者からの操作を受け付ける操作部２２と、液晶パネル又はＥＬパネル等を用いた表示部２７とを備えている。制御部２１は、演算を行う演算部、演算に伴う情報を記憶するＲＡＭ、演算に必要なプログラムを記憶するＲＯＭ等からなる。操作部２２は、表示部２７に重ねて構成されたタッチパネル２２１と、テンキー及びカーソルキー等の複数の入力ボタンからなる入力ボタン部２２２とを含んで構成されている。制御部２１には、表示部２７に画像を表示させるために必要な情報を記憶する記憶部２３と、表示部２７に画像を表示させる処理を実行する描画部２６とが接続されている。記憶部２３は、例えば、表示部２７が表示する画像の一部を構成する部分画像を生成するための画像データを記憶している。制御部２１は、記憶部２３から必要な情報を読み出し、読み出した情報に基づいた画像を表示部２７に表示させる処理を描画部２６に実行させる処理を行う。
【００４２】
また制御部２１には、無線通信方式で受像機１との間で情報を送受信する送信部２５及び受信部２４が接続されている。受像機１の送信部１１４から送信された信号が受信部２４で受信され、送信部２５で送信した信号は受像機１の受信部１１５で受信される。制御部２１は、操作部２２で受け付けた操作に応じて、送信部２５を用いて受像機１へ制御信号を送信する処理を行い、また、受像機１から送信された情報を受信部２４で受信する。
【００４３】
更に制御部２１には、圧力を検出する圧力センサ２８と、振動を検出する振動センサ２９とが接続されている。圧力センサ２８は、本発明における接触センサの一例であり、振動センサ２９は、本発明における変動センサの一例である。圧力センサ２８は、予め定められた所定値以上の圧力を検出した場合に、圧力を検出したことを示す信号を制御部２１へ入力する。圧力センサ２８は、リモコン２の側面等、使用者がリモコン２を手で所持したときに圧力が掛かる部位に設けられている。使用者がリモコン２を手で所持した場合、圧力センサ２８は、圧力を検出することにより、使用者の手が接触したことを検出し、制御部２１は、リモコン２を手で所持するという使用者による操作を検出することができる。振動センサ２９は、予め定められた所定値以上の振動を検出した場合に、振動を検出したことを示す信号を制御部２１へ入力する。使用者がリモコン２に対して、持ち上げる等の操作を行った場合、リモコン２には振動が発生し、振動センサ２９は、振動を検出する。従って、振動センサ２９は、振動を検出することにより、使用者の操作によるリモコン２の位置又は姿勢の変動を検出し、制御部２１は使用者による操作を検出することができる。
【００４４】
以上の構成でなる受像機１は、複数種類の映像源に基づいた映像を表示部１０７に表示することが可能である。例えば、受像機１は、チューナ部１０２で受信した放送信号に基づいた映像と、録画装置等の外部機器３からインタフェース部１１２に入力されたデータに基づいた映像とを表示することが可能である。またチューナ部１０２の構成及び動作設定によっては、受像機１は、地上波放送及び各種の衛星放送等、複数種類の放送に基づいた映像を表示可能であり、また各種類の放送に関して複数チャンネルの放送を受信して映像を表示することが可能である。また受像機１は、情報抽出部１０９が抽出したＥＰＧ用のデータに基づいてＥＰＧを表示部１０７に表示する処理と、情報蓄積部１１０等に予め記憶してある画像データに基づき、複数の画像を表示部１０７に順次表示するピクチャモードの処理とを実行することが可能である。更に受像機１は、任意の二つの映像を同時に表示する二画面映像を表示することもできる。本発明では、受像機１は、現在の状態が、複数種類の映像源の内でいずれの種類の映像源に基づいた映像を表示しているか等、以上の複数種類の映像の内でどのような種類の映像を表示している状態であるかを検出する。本発明の受像機１は、受像機１の状態を常時検出し、検出した状態が変化した場合に、状態を示す情報をリモコン２へ送信する処理を行い、リモコン２は、受像機１から受信した情報に基づいて受像機１の状態を表示する処理を行う。
【００４５】
図４は、検出した受像機１の状態をリモコン２で表示する処理の手順を示すフローチャートである。制御部１０１は、随時、受像機１の状態がいずれの種類の映像を表示している状態であるかを検出し、更に、インタフェース部１１２に接続されている録画装置又はチューナ装置等の外部機器３が実行している処理の内容を検出する（Ｓ１０１）。ステップＳ１０１で受像機１の状態を検出した際に、外部機器３が接続されていない場合には、制御部１０１は、外部機器３での動作の内容を検出する処理を行わない。放送の種類の変更若しくはチャンネルの変更等の映像源を変更する処理、ピクチャモードを開始する処理、又は二画面映像の表示を開始する処理等、映像の種類を変更する処理を実行した際に、どの映像源を用いた映像であるか等の映像の種類を示す情報が制御部１０１又は図示しないメモリに記憶されている。制御部１０１は、ステップＳ１０１で、この情報を読み出すことにより受像機１がどのような種類の映像を表示している状態であるかを検出する。またステップＳ１０１では、制御部１０１は、外部機器３での処理の内容を問い合わせる命令をインタフェース部１１２から外部機器３へ送信し、外部機器３から状態を示す情報をインタフェース部１１２へ入力されることにより、外部機器３での処理の内容を検出する。検出できる外部機器３での処理の内容とは、外部機器３であるチューナ装置が受信する放送のチャンネルの区別、外部機器３である録画装置が実行する再生又は録画等の処理の内容等である。なお、外部機器３は動作の内容が変更される都度、動作の内容を示す情報を送信し、外部機器管理部１１３は外部機器３から送信された情報を記憶し、制御部１０１は、外部機器管理部１１３に記憶された情報を読み出すことにより、外部機器３の状態を検出してもよい。またインタフェース部１１２に複数の外部機器３が接続されている場合は、制御部１０１は、夫々の外部機器３が実行する処理の内容を検出する。
【００４６】
制御部１０１は、検出した受像機１の状態及び外部機器３での処理の内容を示す情報を記憶し、前回検出して記憶してある情報と比較し、受像機１の状態又は外部機器３での処理の内容に変化があるか否かを判定する（Ｓ１０２）。変化がなかった場合は（Ｓ１０２：ＮＯ）、制御部１０１は、処理をステップＳ１０１へ戻す。変化があった場合は（Ｓ１０２：ＹＥＳ）、制御部１０１は、検出した受像機１の状態を示す状態情報、及び外部機器３での処理の内容を示す外部機器情報を送信部１１４からリモコン２へ送信させる（Ｓ１０３）。外部機器３での動作の内容を検出していない状態では、制御部１０１は、ステップＳ１０３で外部機器情報を送信する処理を行わない。
【００４７】
リモコン２は、受像機１から送信された状態情報及び外部機器情報を受信部２４で受信する（Ｓ１０４）。制御部２１は、受信した状態情報及び外部機器情報に基づき、受像機１又は外部機器３の状態を表示し、受像機１又は外部機器３を制御するための状態に応じた操作を受け付けるための画面を、表示部２７に表示させる処理を行う（Ｓ１０５）。ステップＳ１０５では、制御部２１は、受信した状態情報及び外部機器情報の内容に応じた画像データを記憶部２３から読み出し、状態情報が示す受像機１の状態又は外部機器情報が示す外部機器３での処理の内容を文字等で表した画像を含む画面を表示部２７に表示させる処理を描画部２６に実行させる。例えば、受像機１の状態が、放送に基づいた映像を表示する状態である場合は、受信中のチャンネル及び番組名等を表示する画面を表示する。また例えば、外部機器３である録画装置が再生の処理を実行中であり、録画装置から入力されたデータに基づいて受像機１が映像を表示している場合は、録画装置が再生中であることを表示し、更に録画装置を制御するための操作メニューを含む操作画面を表示する。
【００４８】
図５は、リモコン２の表示部２７が表示する画面例を示す模式図である。図５Ａは、受像機１の状態が、放送に基づいた映像を表示する状態であり、更に、外部機器３として録画装置が接続されている場合に表示する画面例である。図５Ａに示した例では、受像機１の状態として、受信中の放送の種類、チャンネル、放送局名及び番組名が表示されている。即ち、放送の種類が「地上波テレビ」であり、チャンネルが「チャンネル００１」、放送局名が「○○放送」、番組名が「今日のニュース」である放送の映像を受像機１で表示している状態であることが示されている。更に、受像機１を制御するための操作メニューを呼び出すための操作ボタン「その他メニュー」と、外部装置である録画装置を制御するための操作メニューを呼び出すための操作ボタン「ビデオメニュー」とが表示されている。タッチパネル２２１を用いて、使用者が「その他メニュー」又は「ビデオメニュー」を操作した場合は、制御部２１は、夫々の操作メニューを表示部２７に表示させる処理を行う。
【００４９】
図５Ｂは、受像機１がピクチャモードの処理を実行している場合に表示する画面例である。現在の受像機１がピクチャモードの処理を実行している状態であることが表示されている。ピクチャモードは、受像機１が予め内部に記憶してある画像データに基づいて画像を表示する状態であり、ピクチャモードの処理中は受像機１は受信した番組の映像も録画装置が再生した映像も表示していない。また、図５Ｂに示した例では、受像機１の電源をオフにするための操作ボタン「電源オフ」と、ピクチャモードの処理を終了してテレビジョン放送の映像を表示する処理を開始させるための操作ボタン「テレビ」とが表示されている。使用者は、タッチパネル２２１を用いて何れかの操作ボタンをタッチすることにより、受像機１を制御するための操作を行うことができる。
【００５０】
図５Ｃは、外部機器３である録画装置が再生の処理を実行中であり、録画装置から入力されたデータに基づいて受像機１が映像を表示している場合に表示する画面例である。録画装置を制御するための操作メニューが表示されており、「再生」の文字が強調されていることで、外部機器３である録画装置が再生の処理を実行していることが示されている。また再生中は「録画」及び「録画停止」の処理を実行することはできないので、この状況を明らかにするために、「録画」及び「録画停止」のメニュー項目が非表示の状態となっている。このように、制御部２１は、状態情報が示す受像機１の状態及び外部機器情報が示す外部機器３での処理の内容を表示すると共に、受像機１の状態及び外部機器３での処理の内容に応じた操作を受け付けるための操作画面を表示部２７に表示させる。図５に示すように、リモコン２の制御部２１は、状態情報又は外部機器情報に基づき、現在の状態で実行可能な制御を行うためのメニューからなる操作画面を表示する。
【００５１】
なお、図５に示した画面例は一例であり、状態情報又は外部機器情報に基づき、その他の形態の画面がリモコン２の表示部２７に表示可能である。例えば、録画装置で早送りの処理を実行している場合は、「早送り」の文字が強調された画面が表示される。また外部機器３であるチューナ装置で受信した放送の映像を受像機１で表示する状態の場合は、チューナ装置で受信する放送の種類及びチャンネル等がリモコン２の表示部２７に表示される。また、図示しないインターネット等の通信ネットワークに受像機１が接続可能な構成であり、通信ネットワークを介してダウンロードしたデータに基づいた映像を受像機１で表示する状態の場合は、ダウンロードした映像を表示する状態であることがリモコン２の表示部２７に表示される。
【００５２】
制御部２１は、次に、操作画面を視認した使用者がタッチパネル２２１をタッチするか、又は入力ボタン部２２２の何れかの入力ボタンを押下することによる、操作部２２での使用者からの操作を待ち受ける（Ｓ１０６）。ステップＳ１０６で受け付ける操作は、受像機１又は外部機器３の動作を制御するための操作である。操作部２２で使用者からの操作を受け付けた場合は（Ｓ１０６：ＹＥＳ）、制御部２１は、受け付けた操作に応じた制御信号を送信部２５に受像機１へ送信させる（Ｓ１０７）。ステップＳ１０７で送信する制御信号は、ステップＳ１０６で受け付けた操作に応じて、受像機１又は外部機器３の動作を制御するための制御信号である。例えば、チャンネルの変更又は録画装置における再生の停止等を指示する制御信号である。
【００５３】
受像機１は、リモコン２から送信された制御信号を受信部１１５で受信し（Ｓ１０８）、制御部１０１は、受信した制御信号に従った受像機１又は外部機器３の制御を実行する（Ｓ１０９）。制御信号が受像機１の動作を制御するための制御信号である場合は、制御部１０１は、ステップＳ１０９において、制御信号に応じて受像機１の各部分の動作を制御する。例えば、制御信号がチャンネルの変更を指示する制御信号である場合は、制御部１０１は、チューナ部１０２が放送信号を取得すべきチャンネルの選局を変更する処理を行う。また、制御信号が外部機器３の動作を制御するための制御信号である場合は、制御部１０１は、ステップＳ１０９において、制御信号に応じて外部機器３の動作を制御するための制御信号を外部機器管理部１１３及びインタフェース部１１２を介して外部機器３へ送信する。ステップＳ１０９が終了した後は、制御部１０１は、処理をステップＳ１０１へ戻す。通常、ステップＳ１０９で制御を実行した後は、受像機１又は外部機器３の状態が変化するので、ステップＳ１０１〜Ｓ１０５の処理が実行されることにより、制御結果がリモコン２の表示部２７に表示されることになる。
【００５４】
ステップＳ１０６で使用者からの操作の受け付けがない場合は（Ｓ１０６：ＮＯ）、制御部２１は、ステップＳ１０５で表示部２７に画面を表示してから経過した時間を測定し、表示の時点から予め定められた所定時間が経過したか否かを判定する（Ｓ１１０）。なお、制御部２１は、ステップＳ１０４で情報を受信してから経過した時間等、他の時点から経過した時間を測定してもよい。所定時間がまだ経過していない場合は（Ｓ１１０：ＮＯ）、制御部２１は、処理をステップＳ１０６へ戻し、操作の待ち受けを続行する。所定時間が経過した場合は（Ｓ１１０：ＹＥＳ）、制御部２１は、図示しない電源から表示部２７へ供給する電力を低下させることにより、表示部２７での画像表示をオフにする処理を行い（Ｓ１１１）、処理を終了する。受像機１は、随時、ステップＳ１０１から処理を繰り返す。ステップＳ１１１では、供給電力の低下により、表示部２７の表示素子又はバックライトの発光が停止し、表示部２７での画像表示がオフになる。なお、制御部２１は、表示部２７を完全にオフにするのではなく、表示部２７を暗くする処理を行う形態であってもよい。
【００５５】
以上の処理により、本発明では、受像機１は、いずれの種類の映像源に基づいた映像を表示しているか等、どのような種類の映像を表示している状態であるかを検出し、検出した状態に変化があった場合に、受像機１の状態を示す状態情報をリモコン２へ送信する。リモコン２は、状態情報が示す受像機１の状態を表示部２７に表示する。リモコン２の表示部２７には、常に最新の受像機１の状態が表示され、使用者は受像機１の現在の状態を確認することができる。例えば、操作部１１６で使用者からの操作を受け付けてチャンネルを変更した場合、又は番組が終了して新たな番組が開始した場合等、リモコン２を用いた制御とは別の原因で受像機１の状態が変化した場合でも、リモコン２で受像機１の状態を把握することができる。また受像機１は、同様に、受像機１に接続されている録画装置等の外部機器３での処理の内容を検出し、検出した状態に変化があった場合に、外部機器３での処理の内容を示す外部機器情報をリモコン２へ送信する。リモコン２は、外部機器３での処理の内容を表示部２７に表示する。リモコン２の表示部２７には、常に最新の外部機器３での処理の内容が表示され、使用者は外部機器３の現在の動作状況を確認することができる。
【００５６】
更にリモコン２は、状態情報又は外部機器情報に応じて、受像機１又は外部機器３を制御するための操作を受け付けるための操作画面を表示部２７に表示し、受像機１は、リモコン２で受け付けた操作に従って受像機１又は外部機器３の動作を制御する。リモコン２が表示する操作画面は、検出された受像機１の状態及び外部機器３での処理の内容に応じた操作画面となる。受像機１及び外部機器３の現在の状況に応じた内容の操作画面が表示されることにより、現在の状況に応じて実行可能な操作が示され、使用者は、状況に合った操作を容易に選択して適切な制御指示を入力することができる。
【００５７】
表示部２７をオフにしたリモコン２は、次に使用者から操作された場合に、受像機１へ状態情報を要求し、取得した状態情報に基づいて受像機１の状態を表示する処理を行う。図６は、リモコン２で状態情報を要求し、受像機１の状態を表示する処理の手順を示すフローチャートである。リモコン２の制御部２１は、表示部２７がオフになった状態で、圧力センサ２８での圧力の検出を待ち受ける（Ｓ２０１）。圧力センサ２８は、所定値以上の圧力を検出した場合に、圧力を検出したことを示す信号を制御部２１へ入力し、ステップＳ２０１では、制御部２１は、圧力センサ２８から信号が入力された場合に、圧力センサ２８が圧力を検出したと判定する。圧力センサ２８は、使用者がリモコン２を手で所持したときに圧力が掛かる部位に設けられているので、圧力センサ２８が圧力を検出したことは、使用者がリモコン２を手で所持したことを示している。
【００５８】
ステップＳ２０１で圧力センサ２８での圧力の検出がない場合は（Ｓ２０１：ＮＯ）、制御部２１は、振動センサ２９での振動の検出を待ち受ける（Ｓ２０２）。振動センサ２９は、所定値以上の振動を検出した場合に、振動を検出したことを示す信号を制御部２１へ入力し、ステップＳ２０２では、制御部２１は、振動センサ２９から信号が入力された場合に、振動センサ２９が振動を検出したと判定する。振動センサ２９が振動を検出したことは、リモコン２を持ち上げる、叩く又は振る等の操作を、使用者がリモコン２に対して行ったことを示している。振動の検出がない場合は（Ｓ２０２：ＮＯ）、制御部２１は、使用者がタッチパネルをタッチするか又は入力ボタン部２２２の何れかの入力ボタンを使用者が押下する等、操作部２２に対する使用者からの任意の操作の受け付けを待ち受ける（Ｓ２０３）。操作部２２で操作の受け付けがない場合は（Ｓ２０３：ＮＯ）、制御部２１は、処理をステップＳ２０１へ戻す。ステップＳ２０１で圧力を検出した場合（Ｓ２０１：ＹＥＳ）、ステップＳ２０２で振動を検出した場合（Ｓ２０２：ＹＥＳ）、又はステップＳ２０３で操作を受け付けた場合は（Ｓ２０３：ＹＥＳ）、制御部２１は、図示しない電源から表示部２７へ供給する電力を回復させることにより表示部２７での画像表示をオンにする（Ｓ２０４）。ステップＳ２０４により、表示部２７での画像表示が再開される。ステップＳ２０１〜Ｓ２０４は、本発明における待ち受け手段に対応する。制御部２１は、次に、受像機１の状態を示す状態情報の要求を送信部２５に受像機１へ送信させる（Ｓ２０５）。
【００５９】
受像機１は、受信部１１５で状態情報の要求を受信し（Ｓ２０６）、受像機１の制御部１０１は、受像機１の状態がどのような種類の映像を表示している状態であるかを検出し、インタフェース部１１２に接続されている外部機器３が実行している処理の内容を検出する（Ｓ２０７）。制御部１０１は、次に、検出した受像機１の状態を示す状態情報、及び外部機器３での処理の内容を示す外部機器情報を送信部１１４からリモコン２へ送信させる（Ｓ２０８）。
【００６０】
リモコン２は、受像機１から送信された状態情報及び外部機器情報を受信部２４で受信する（Ｓ２０９）。制御部２１は、受信した状態情報及び外部機器情報に基づき、受像機１又は外部機器３の状態を表示し、受像機１又は外部機器３を制御するための状態に応じた操作を受け付けるための画面を、表示部２７に表示させる処理を行う（Ｓ２１０）。ステップＳ２１０で表示される画面は、ステップＳ１０５で表示される画面と同様である。制御部２１は、次に、操作部２２を使用者が操作することによる受像機１又は外部機器３の動作を制御するための操作の受け付けを待ち受ける（Ｓ２１１）。操作部２２で使用者からの操作を受け付けた場合は（Ｓ２１１：ＹＥＳ）、制御部２１は、受け付けた操作に応じた制御信号を送信部２５に受像機１へ送信させる（Ｓ２１２）。
【００６１】
受像機１は、リモコン２から送信された制御信号を受信部１１５で受信し（Ｓ２１３）、制御部１０１は、受信した制御信号に従った受像機１又は外部機器３の制御を実行する（Ｓ２１４）。ステップＳ２１４が終了した後は、制御部１０１は、処理をステップＳ２０７へ戻す。ステップＳ２０７では、制御部１０１は制御後の受像機１又は外部機器３の状態を検出し、ステップＳ２０７〜Ｓ２１０の処理が実行されることにより、制御結果がリモコン２の表示部２７に表示されることになる。
【００６２】
ステップＳ２１１で使用者からの操作の受け付けがない場合は（Ｓ２１１：ＮＯ）、ステップＳ２１０で表示部２７に画面を表示してから経過した時間を測定し、表示の時点から予め定められた所定時間が経過したか否かを判定する（Ｓ２１５）。所定時間がまだ経過していない場合は（Ｓ２１５：ＮＯ）、制御部２１は、処理をステップＳ２１１へ戻し、操作の待ち受けを続行する。所定時間が経過した場合は（Ｓ２１５：ＹＥＳ）、制御部２１は、図示しない電源から表示部２７へ供給する電力を低下させることにより、表示部２７での画像表示をオフにする処理を行い（Ｓ２１６）、処理を終了する。
【００６３】
以上の処理により、本発明では、リモコン２は、表示を行ってから所定時間経過後に表示部２７の表示をオフにし、圧力センサ２８で圧力を検出するか、振動センサ２９で振動を検出するか、又は操作部２２で任意の操作を受け付けた場合に、受像機１へ状態情報の要求を送信する。表示部２７の表示をオフにすることにより、リモコン２は表示部２７の消費電力を削減することができる。またリモコン２は、使用者がリモコン２を手で所持した場合、持ち上げた場合、叩いた場合、振った場合又は操作部２２を操作した場合等、表示部２７がオフの状態で使用者がリモコン２に対して何らかの操作を行った場合に、状態情報の要求を送信することにより、使用者が必要とするときに受像機１又は外部機器３の状態を表示部２７に表示する。例えば、操作部１１６で使用者からの操作を受け付けてチャンネルを変更した場合、又は番組が終了して新たな番組が開始した場合等、リモコン２とは無関係に受像機１の状態が変化している場合でも、必要に応じてリモコン２で受像機１の状態を把握することができる。
【００６４】
以上詳述した如く、本発明においては、受像機１とリモコン２とは常時通信を行うのではなく、受像機１又は外部機器３の動作状況が変化した場合に状態情報及び外部機器情報をリモコン２へ送信するので、受像機１又は外部機器３の動作状況が変化する都度受像機１又は外部機器３の現在の状態がリモコン２に表示される。これにより、本発明の制御システムは、通信に必要な消費電力を抑制しながらも、刻々と変化する受像機１又は外部機器３の状態を常時リモコン２で使用者に把握させることができる。使用者は、リモコン２を用いて受像機１及び外部機器３の状態を把握することができるので、状況に応じた適切な操作を行うことができる。また本発明においては、リモコン２は、表示から所定時間経過した後に表示部２７をオフにし、リモコン２を手で所持する等の任意の操作を使用者がリモコン２に対して行った場合に受像機１へ状態情報を要求するので、リモコン２での消費電力を抑制しながらも、使用者は、リモコン２を用いて、必要とするときに受像機１又は外部機器３の状態を把握することができる。
【００６５】
なお、本実施の形態においては、リモコン２において表示から所定時間経過した後に表示部２７をオフにする形態を示したが、本発明は、表示部２７に限らずリモコン２内の各部へ供給する電力を削減することにより、リモコン２全体を省電力状態にする形態であってもよい。リモコン２は、省電力状態においても、操作部２２、圧力センサ２８及び振動センサ２９に対しては、使用者からの操作を受け付ける機能を維持できるだけの電力を供給している。リモコン２全体を省電力状態にすることにより、リモコン２はより消費電力を抑制することができる。
【００６６】
また、本実施の形態においては、変動センサの一例として振動センサ２９を示し、接触センサの一例として圧力センサ２８を示したが、変動センサ及び接触センサはその他の形態であってもよい。変動センサは、例えば、リモコン２に発生する加速度を検出する加速度センサ、リモコン２に加えられた傾きを検出する傾斜センサ、又はリモコン２の回転を検出するジャイロセンサであってもよい。これらの変動センサを用いることにより、使用者がリモコン２を持ち上げる、叩く又は振る等の方法で、リモコン２は使用者による操作を受け付けることができる。また接触センサは、例えば、抵抗膜を用いて接触を検出するセンサ、又は静電容量を測定することで接触を検出するセンサであってもよい。これらの接触センサを用いることにより、使用者がリモコン２を手で所持する又は手で触る等の方法で、リモコン２は使用者による操作を受け付けることができる。
【００６７】
なお、本実施の形態においては、チューナ部１０２でデジタル放送の放送信号を受信する形態を示したが、本発明の受像機１はアナログ放送の放送信号を受信するアナログチューナを備えた形態であってもよい。また本実施の形態においては、本発明の映像表示装置は受像機１であるとしたが、これに限るものではなく、本発明の映像表示装置は、自ら放送を受信する機能を有していない形態であってもよい。
【図１】
2010026717.tif 000003
【図２】
2010026717.tif 000004
【図３】
2010026717.tif 000005
【図４】
2010026717.tif 000006
【図５Ａ】
2010026717.tif 000007
【図５Ｂ】
2010026717.tif 000008
【図５Ｃ】
2010026717.tif 000009
【図６】
2010026717.tif 000010
【手続補正書】
【提出日】平成23年3月8日(2011.3.8)
【手続補正１】
【補正対象書類名】明細書
【補正対象項目名】全文
【補正方法】変更
【補正の内容】
【発明の詳細な説明】
【技術分野】
【０００１】
本発明は、遠隔制御装置を用いて映像表示装置に映像を表示させる映像表示システムに関し、より詳しくは、映像表示装置の状態を遠隔制御装置で把握しながら映像表示装置に映像を表示させる映像表示システム、並びに、該映像表示システムで使用される映像表示装置及び遠隔制御装置に関する。
【背景技術】
【０００２】
テレビジョン放送の映像を表示する受像機（映像表示装置）は、多くの場合、使用者が操作するリモコン（リモートコントローラ，遠隔制御装置）からの信号を受信し、受信した信号に応じてチャンネル切り替え等の制御を行う構成となっている。受像機は、受信中のチャンネル等の現在の状態を示す画面及びメニュー画面等を表示し、使用者は受像機が表示した画面を確認しながらリモコン上のボタンを押下することで、リモコンから受像機へ制御用の信号が送信される。このような従来の受像機では、使用者は、受像機の画面とリモコンとの両方を目で確認しながら操作を行う必要がある。
【０００３】
特許文献１及び２には、リモコンに小型のディスプレイを備え、リモコンと受像機等の被操作機器との間で双方向通信が可能な構成とし、リモコンのディスプレイに被操作機器の状態を示す画面を表示する技術が記載されている。この技術を利用することにより、使用者は、受像機の画面とリモコンとの両方を確認する必要がなくなり、リモコンのディスプレイのみを確認しながら受像機の操作を行うことができるので、受像機の操作がより容易となる。また特許文献３には、リモコンから被操作機器へ信号を送信した後の一定期間リモコンで信号を受信可能とし、被操作機器からリモコンへ信号が送信された場合に、信号に応じた情報をリモコンのディスプレイに表示する技術が記載されている。この技術では、リモコンが信号の受信を待機する時間が限定されているので、リモコンの省電力を図ることができる。
【先行技術文献】
【特許文献】
【０００４】
【特許文献１】特開２００２−２９１０６７号公報
【特許文献２】特開２００３−３３３３６２号公報
【特許文献３】特開平１−１１９１９７号公報
【発明の概要】
【発明が解決しようとする課題】
【０００５】
特許文献１及び２に記載の技術では、受像機の状態をリモコンのディスプレイに表示するためには、常にリモコンと受像機との間で通信を行っている必要があり、リモコンでの消費電力が大きいという問題がある。また特許文献３に記載の技術では、リモコンの消費電力は抑制できるものの、リモコンは信号を送信した後の一定期間しか受像機からの信号を受信できないので、一定期間が経過した後に受像機の状態が変化した場合は、リモコンは受像機の状態を把握することができないという問題がある。
【０００６】
本発明は、斯かる事情に鑑みてなされたものであって、その目的とするところは、必要なときに映像表示装置の状態を示す情報を映像表示装置から遠隔制御装置へ送信することによって、遠隔制御装置での消費電力を抑制しながらも遠隔制御装置で映像表示装置の状態を常時把握することができる映像表示システム、並びに、該映像表示システムで使用される映像表示装置及び遠隔制御装置を提供することにある。
【課題を解決するための手段】
【０００７】
本発明に係る映像表示システムは、映像表示装置と、該映像表示装置の動作を制御するための操作を受け付けて制御信号を前記映像表示装置へ送信する遠隔制御装置とを備え、前記映像表示装置及び遠隔制御装置は双方向に通信を行うことができる映像表示システムにおいて、前記映像表示装置は、一の種類の映像を表示している状態を検出する状態検出手段と、該状態検出手段が検出する状態が変化した場合に、該映像表示装置の状態を示す状態情報を前記遠隔制御装置へ送信する手段とを有し、前記遠隔制御装置は、表示部と、前記映像表示装置から状態情報を受信した場合に、受信した状態情報が示す前記映像表示装置の状態を前記表示部に表示する手段とを有することを特徴とする。
【０００８】
本発明に係る映像表示システムは、前記遠隔制御装置は、時間経過に応じて、該遠隔制御装置の前記表示部への供給電力を低下させる手段と、前記表示部への供給電力が低下した状態での任意の操作を待ち受ける手段と、該手段が任意の操作を受け付けた場合に、前記映像表示装置の状態を示す状態情報の要求を前記映像表示装置へ送信する手段と、前記表示部への供給電力を回復させる手段とを更に有し、前記映像表示装置は、状態情報の要求を前記遠隔制御装置から受信した場合に、該映像表示装置の状態を示す状態情報を前記遠隔制御装置へ送信する手段を更に有することを特徴とする。
【０００９】
本発明に係る映像表示システムは、前記遠隔制御装置は、前記映像表示装置から受信した状態情報が示す前記映像表示装置の状態に応じた操作を受け付けるための操作画面を前記表示部に表示する手段を更に有することを特徴とする。
【００１０】
本発明に係る映像表示システムは、前記映像表示装置は、機器が接続可能であり、接続されている機器が実行している処理の内容を検出する手段と、該手段が検出した前記機器での処理の内容を示す情報を前記遠隔制御装置へ送信する手段とを更に有し、前記遠隔制御装置は、前記映像表示装置から受信した情報が示す前記機器での処理の内容を前記表示部に表示する手段を有することを特徴とする。
【００１１】
本発明に係る映像表示システムは、前記遠隔制御装置は、前記機器の動作を制御するための操作を受け付ける手段と、前記映像表示装置から受信した情報が示す前記機器での処理の内容に応じた操作を受け付けるための操作画面を前記表示部に表示する手段と、受け付けた操作に応じた前記機器の動作を制御するための制御信号を前記映像表示装置へ送信する手段を更に有し、前記映像表示装置は、受信した前記制御信号に従って、前記機器の動作を制御する手段を備えることを特徴とする。
【００１２】
本発明に係る映像表示システムは、前記映像表示装置は、放送を受信する手段と、外部から映像データの入力を受け付ける手段とを更に備え、前記状態検出手段は、受信した放送に基づいた映像を表示しているか否か、表示している映像が基づく放送のチャンネル、表示している映像が基づく放送の番組、又は外部から入力されたデータに基づいた映像を表示しているか否かを検出するように構成してあることを特徴とする。
【００１３】
本発明に係る映像表示装置は、外部との間で双方向通信を行うことが可能であり、外部から制御信号を受信し、受信した制御信号に従って動作を制御する映像表示装置において、一の種類の映像を表示している状態を検出する状態検出手段と、該状態検出手段が検出する状態が変化した場合に、前記状態検出手段が検出した状態を示す状態情報を外部へ送信する手段とを備えることを特徴とする。
【００１４】
本発明に係る映像表示装置は、外部から状態情報の要求を受信する手段と、該手段が状態情報の要求を受信した場合に、前記状態検出手段が検出した状態を示す状態情報を外部へ送信する手段とを更に備えることを特徴とする。
【００１５】
本発明に係る映像表示装置は、機器が接続可能であり、接続されている前記機器が実行している処理の内容を検出する手段と、該手段が検出した前記機器での処理の内容を示す情報を外部へ送信する手段とを更に備えることを特徴とする。
【００１６】
本発明に係る映像表示装置は、放送を受信する手段と、外部から映像データの入力を受け付ける手段とを更に備え、前記状態検出手段は、受信した放送に基づいた映像を表示する状態であるか否か、表示している映像が基づく放送のチャンネル、表示している映像が基づく放送の番組、又は外部から入力されたデータに基づいた映像を表示する状態であるか否かを検出するように構成してあることを特徴とする。
【００１７】
本発明に係る遠隔制御装置は、映像を表示する表示装置との間で双方向通信を行うことが可能であり、前記表示装置の動作を制御するための操作を受け付けて制御信号を前記表示装置へ送信する遠隔制御装置において、表示部と、前記表示装置が一の種類の映像を表示している状態を示す状態情報を受信する手段と、該手段が状態情報を受信した場合に、受信した状態情報が示す前記表示装置の状態を前記表示部に表示する手段とを備えることを特徴とする。
【００１８】
本発明に係る遠隔制御装置は、時間経過に応じて、前記表示部への供給電力を低下させる手段と、前記表示部への供給電力が低下した状態での任意の操作を待ち受ける待ち受け手段と、該待ち受け手段が任意の操作を受け付けた場合に、状態情報の要求を前記表示装置へ送信する手段と、前記表示部への供給電力を回復させる手段とを更に備えることを特徴とする。
【００１９】
本発明に係る遠隔制御装置は、自身の変動を検出する変動センサを更に備え、前記待ち受け手段は、前記変動センサが所定量以上の変動を検出した場合に操作を受け付けたと判定するように構成してあることを特徴とする。
【００２０】
本発明に係る遠隔制御装置は、使用者による自身への接触を検出する接触センサを更に備え、前記待ち受け手段は、前記接触センサが接触を検出した場合に操作を受け付けたと判定するように構成してあることを特徴とする。
【００２１】
本発明に係る遠隔制御装置は、受信した状態情報が示す前記表示装置の状態に応じた操作を受け付けるための操作画面を前記表示部に表示する手段を更に有することを特徴とする。
【００２２】
本発明に係る遠隔制御装置は、前記表示装置に接続されている他の機器が実行している処理の内容を示す情報を前記表示装置から受信する手段と、受信した前記情報が示す前記他の機器での処理の内容を前記表示部に表示する手段とを更に備えることを特徴とする。
【００２３】
本発明に係る遠隔制御装置は、前記他の機器の動作を制御するための操作を受け付ける手段と、前記表示装置から受信した情報が示す前記他の機器での処理の内容に応じた操作を受け付けるための操作画面を前記表示部に表示する手段と、受け付けた操作に応じた前記他の機器の動作を制御するための制御信号を前記表示装置へ送信する手段とを更に備えることを特徴とする。
【００２４】
本発明においては、映像表示装置は、受信した放送信号若しくは外部から入力された映像信号等の複数種類の映像源に基づいた映像、電子番組表の映像、又は二つの映像を同時に表示する二画面映像等、複数種類の映像を表示可能である。映像表示装置は、自己の状態、即ち、現在いずれの種類の映像を表示しているかを随時検出し、検出した状態に変化があった場合に、検出した状態を示す状態情報を遠隔制御装置へ送信する。遠隔制御装置は、状態情報が示す映像表示装置の状態を表示部に表示することにより、表示部には常に最新の映像表示装置の状態が表示される。
【００２５】
また本発明においては、遠隔制御装置は、最後に表示を更新した時点又は最後に操作を受け付けた時点等の特定の時点から所定の時間が経過したことに応じて、表示部への供給電力を低下させる。遠隔制御装置は、表示部への供給電力を低下させた状態で使用者から任意の操作を受け付けた場合に、映像表示装置へ状態情報の要求を送信する。これにより、遠隔制御装置は、表示部の消費電力を削減すると共に、必要時に映像表示装置の状態を表示部に表示する。
【００２６】
また本発明においては、遠隔制御装置は、状態情報に基づいて、映像表示装置の状態に応じた操作を受け付けるための操作画面を表示部に表示することにより、映像表示装置の現在の状態に応じた制御を行うための操作画面が表示される。
【００２７】
また本発明においては、映像表示装置は、映像表示装置に接続されている録画装置等の機器で実行している処理の内容を検出し、機器での処理の内容を示す情報を遠隔制御装置へ送信する。遠隔制御装置は、情報が示す機器での処理の内容を表示部に表示する。これにより、遠隔制御装置の表示部には、最新の機器の状態が表示される。
【００２８】
また本発明においては、遠隔制御装置は、機器での処理の内容に応じた操作を受け付けるための操作画面を表示部に表示し、映像表示装置は、受け付けた操作に応じて機器の動作を制御する。機器の現在の状態に応じた内容の操作画面が表示されることにより、状況に合った適切な制御が実行可能となる。
【００２９】
また本発明においては、映像表示装置が検出すべき自己の状態として、受信した放送に基づいた映像を表示する状態であるか否か、いずれのチャンネルの映像を表示するか、いずれの番組の映像を表示するか、又は外部から入力された映像データに基づいた映像を表示する状態であるか否かが検出され、これらの内容を遠隔制御装置で把握することができる。
【００３０】
また本発明においては、遠隔制御装置は、振動等の変動を検出する変動センサが所定量以上の変動を検出した場合に使用者からの操作を受け付けたと判定することにより、使用者が遠隔制御装置を持ち上げた場合、叩いた場合、又は振った場合等に映像表示装置へ状態情報の要求を送信する。
【００３１】
また本発明においては、遠隔制御装置は、接触センサが使用者による接触を検出した場合に使用者からの操作を受け付けたと判定することにより、使用者が遠隔制御装置を手で所持した場合に映像表示装置へ状態情報の要求を送信する。
【発明の効果】
【００３２】
本発明にあっては、映像表示装置と遠隔制御装置とは常時通信を行うのではなく、映像表示装置の状態が変化した場合に状態情報を遠隔制御装置へ送信するので、映像表示装置の状態が変化する都度、映像表示装置の状態が遠隔制御装置に表示される。これにより、映像表示システムは、必要な消費電力を抑制しながらも、遠隔制御装置を用いて、刻々と変化する映像表示装置の状態を常時使用者に把握させることができる等、本発明は優れた効果を奏する。
【図面の簡単な説明】
【００３３】
【図１】本発明の映像表示システムの外観を示す概念図である。
【図２】本発明の映像表示装置である受像機の内部構成を示すブロック図である。
【図３】本発明の遠隔制御装置であるリモコンの内部構成を示すブロック図である。
【図４】検出した受像機の状態をリモコンで表示する処理の手順を示すフローチャートである。
【図５Ａ】リモコンの表示部が表示する画面例を示す模式図である。
【図５Ｂ】リモコンの表示部が表示する画面例を示す模式図である。
【図５Ｃ】リモコンの表示部が表示する画面例を示す模式図である。
【図６】リモコンで状態情報を要求し、受像機の状態を表示する処理の手順を示すフローチャートである。
【００３４】
以下本発明をその実施の形態を示す図面に基づき具体的に説明する。
図１は、本発明の映像表示システムの外観を示す概念図である。本発明の映像表示システムは、本発明の映像表示装置である受像機１と、使用者からの操作を受け付け、受け付けた操作に応じた制御信号を受像機１へ送信するリモコン（遠隔制御装置）２とを含んでなる。受像機１は、テレビジョン放送を受信し、受信した放送に基づいた映像を表示する。受像機１とリモコン２との間では、双方向の無線通信が可能となっており、受像機１は、リモコン２からの制御信号に応じた制御を行う。また受像機１は、録画装置又はチューナ装置等の外部機器３が接続可能であり、リモコン２は、外部機器３の動作を制御するための制御信号を受像機１へ送信し、受像機１はリモコン２からの制御信号に応じて外部機器３の制御を行うことが可能である。
【００３５】
図２は、本発明の映像表示装置である受像機１の内部構成を示すブロック図である。受像機１は、演算を行う演算部、演算に伴う情報を記憶するＲＡＭ、演算に必要なプログラムを記憶するＲＯＭ等からなり、受像機１の各部の動作を制御する制御部１０１を備える。また受像機１は、チューナ部１０２、復調部１０３及びＴＳ（Transport Stream）デコーダ１０４を備えている。チューナ部１０２は、図示しないアンテナ又は有線放送の信号線等に接続されており、アンテナ又は信号線を介してデジタル放送の放送信号を受信し、選局されたチャンネル即ち特定の周波数帯の放送信号をデータ信号に変換する。復調部１０３は、チューナ部１０２が変換したデータ信号から、選局されたチャンネルのＴＳデータを生成する。ＴＳデコーダ１０４は、ＴＳデータを、映像用のデータを含むＴＳデータ又は各種の情報を含むＴＳデータ等、各種のＴＳデータに分離する。
【００３６】
ＴＳデコーダ１０４には、ＡＶ（Audio Visual）デコーダ１０５及び情報抽出部１０９が接続されている。ＡＶデコーダ１０５は、映像用のデータ及び音声用のデータを含むＴＳデータから、選局されたチャンネルで放送された番組の映像及び音声を表す映像データ及び音声データを生成する。またＡＶデコーダ１０５は、映像データ及び音声データを生成する処理の際には、暗号化解除等の必要な処理を実行する。情報抽出部１０９は、ＥＰＧ（電子番組表）用のデータ、受信中のチャンネルを示す情報、及び受信中の番組名を示す情報等の各種の情報を、ＴＳデータから抽出する。情報抽出部１０９には、メモリで構成された情報蓄積部１１０が接続されている。情報蓄積部１１０は、情報抽出部１０９が抽出した各種の情報を蓄積する。また情報蓄積部１１０は制御部１０１に接続されている。制御部１０１は、蓄積されている情報を情報蓄積部１１０から読み出す処理を行う。
【００３７】
制御部１０１には、ＯＳＤ（On Screen Display ）生成部１１１が接続されている。制御部１０１は、必要に応じて情報蓄積部１１０から読み出した情報をＯＳＤ生成部１１１へ入力し、ＯＳＤ生成部１１１は、入力された情報の内容をＯＳＤで表示するためのＯＳＤ映像を生成する。ＡＶデコーダ１０５及びＯＳＤ生成部１１１には、映像合成部１０６が接続されている。映像合成部１０６は、ＡＶデコーダ１０５が生成した映像データに基づいた映像とＯＳＤ生成部１１１が生成したＯＳＤ映像とを合成する処理を行う。映像合成部１０６は、液晶パネル、ＥＬ（Electro-Luminescence）パネル又はプラズマディスプレイパネル等を用いて映像を表示する表示部１０７に接続されている。映像合成部１０６は、合成した信号を表す映像信号を表示部１０７へ入力し、表示部１０７は、映像信号に基づいた映像を表示する。このようにして、放送された番組の映像が表示部１０７で表示される。またＡＶデコーダ１０５には、スピーカ等の音声出力部１０８が接続されている。音声出力部１０８は、ＡＶデコーダ１０５が生成した音声信号に基づいた音声を出力する。
【００３８】
また受像機１は、録画装置又はチューナ装置等の外部機器３と接続するためのインタフェース部１１２を備えている。インタフェース部１１２は、ＨＤＭＩ（High Definition Multimedia Interface）又はｉＬｉｎｋ等のインタフェースを用いて構成されている。インタフェース部１１２は、ケーブルを介して外部機器３と接続され、ＴＳデータ及び制御信号を外部機器３との間で送受信する。通常、インタフェース部１１２は複数の外部機器３と接続可能な構成となっている。なお、インタフェース部１１２は複数種類のインタフェースを用いる形態であってもよい。
【００３９】
インタフェース部１１２には、外部機器３の状態を管理するための処理を行う外部機器管理部１１３が接続されている。外部機器管理部１１３は、制御部１０１及びＴＳデコーダ１０４に接続されており、インタフェース部１１２が外部機器３から受信したデータの内、ＴＳデータをＴＳデコーダ１０４へ入力し、制御信号を制御部１０１へ入力する。ＴＳデコーダ１０４は、外部機器管理部１１３から入力されたデータについても、復調部１０３から入力されたデータと同様の処理を行う。これにより、表示部１０７は、外部機器３から入力された映像を表示することができる。また制御部１０１は、インタフェース部１１２及び外部機器管理部１１３を介して、外部機器３との間で制御信号を送受信する処理を行う。また外部機器管理部１１３は、メモリを有しており、外部機器３に関する情報を記憶する。
【００４０】
また制御部１０１には、ブルートゥース等の無線通信方式でリモコン２との間で情報を送受信する送信部１１４及び受信部１１５が接続されている。制御部１０１は、送信部１１４を用いてリモコン２へ情報を送信する処理を行い、受信部１１５でリモコン２からの情報を受信する。送信部１１４及び受信部１１５を用いることで、受像機１は、リモコン２との間で双方向通信を行う。更に制御部１０１には、各種の入力ボタンからなり、使用者からの操作を受け付ける操作部１１６が接続されている。操作部１１６を使用者が操作することにより、制御部１０１は、電源のオン／オフ、チャンネルの変更、又はデータを入力される外部機器３の切り替え等の各種の指示を使用者から受け付ける。
【００４１】
図３は、本発明の遠隔制御装置であるリモコン２の内部構成を示すブロック図である。リモコン２は、リモコン２の各部の動作を制御する制御部２１と、使用者からの操作を受け付ける操作部２２と、液晶パネル又はＥＬパネル等を用いた表示部２７とを備えている。制御部２１は、演算を行う演算部、演算に伴う情報を記憶するＲＡＭ、演算に必要なプログラムを記憶するＲＯＭ等からなる。操作部２２は、表示部２７に重ねて構成されたタッチパネル２２１と、テンキー及びカーソルキー等の複数の入力ボタンからなる入力ボタン部２２２とを含んで構成されている。制御部２１には、表示部２７に画像を表示させるために必要な情報を記憶する記憶部２３と、表示部２７に画像を表示させる処理を実行する描画部２６とが接続されている。記憶部２３は、例えば、表示部２７が表示する画像の一部を構成する部分画像を生成するための画像データを記憶している。制御部２１は、記憶部２３から必要な情報を読み出し、読み出した情報に基づいた画像を表示部２７に表示させる処理を描画部２６に実行させる処理を行う。
【００４２】
また制御部２１には、無線通信方式で受像機１との間で情報を送受信する送信部２５及び受信部２４が接続されている。受像機１の送信部１１４から送信された信号が受信部２４で受信され、送信部２５で送信した信号は受像機１の受信部１１５で受信される。制御部２１は、操作部２２で受け付けた操作に応じて、送信部２５を用いて受像機１へ制御信号を送信する処理を行い、また、受像機１から送信された情報を受信部２４で受信する。
【００４３】
更に制御部２１には、圧力を検出する圧力センサ２８と、振動を検出する振動センサ２９とが接続されている。圧力センサ２８は、本発明における接触センサの一例であり、振動センサ２９は、本発明における変動センサの一例である。圧力センサ２８は、予め定められた所定値以上の圧力を検出した場合に、圧力を検出したことを示す信号を制御部２１へ入力する。圧力センサ２８は、リモコン２の側面等、使用者がリモコン２を手で所持したときに圧力が掛かる部位に設けられている。使用者がリモコン２を手で所持した場合、圧力センサ２８は、圧力を検出することにより、使用者の手が接触したことを検出し、制御部２１は、リモコン２を手で所持するという使用者による操作を検出することができる。振動センサ２９は、予め定められた所定値以上の振動を検出した場合に、振動を検出したことを示す信号を制御部２１へ入力する。使用者がリモコン２に対して、持ち上げる等の操作を行った場合、リモコン２には振動が発生し、振動センサ２９は、振動を検出する。従って、振動センサ２９は、振動を検出することにより、使用者の操作によるリモコン２の位置又は姿勢の変動を検出し、制御部２１は使用者による操作を検出することができる。
【００４４】
以上の構成でなる受像機１は、複数種類の映像源に基づいた映像を表示部１０７に表示することが可能である。例えば、受像機１は、チューナ部１０２で受信した放送信号に基づいた映像と、録画装置等の外部機器３からインタフェース部１１２に入力されたデータに基づいた映像とを表示することが可能である。またチューナ部１０２の構成及び動作設定によっては、受像機１は、地上波放送及び各種の衛星放送等、複数種類の放送に基づいた映像を表示可能であり、また各種類の放送に関して複数チャンネルの放送を受信して映像を表示することが可能である。また受像機１は、情報抽出部１０９が抽出したＥＰＧ用のデータに基づいてＥＰＧを表示部１０７に表示する処理と、情報蓄積部１１０等に予め記憶してある画像データに基づき、複数の画像を表示部１０７に順次表示するピクチャモードの処理とを実行することが可能である。更に受像機１は、任意の二つの映像を同時に表示する二画面映像を表示することもできる。本発明では、受像機１は、現在の状態が、複数種類の映像源の内でいずれの種類の映像源に基づいた映像を表示しているか等、以上の複数種類の映像の内で一の種類の映像を表示している状態を検出する。本発明の受像機１は、受像機１の状態を常時検出し、検出した状態が変化した場合に、状態を示す情報をリモコン２へ送信する処理を行い、リモコン２は、受像機１から受信した情報に基づいて受像機１の状態を表示する処理を行う。
【００４５】
図４は、検出した受像機１の状態をリモコン２で表示する処理の手順を示すフローチャートである。制御部１０１は、随時、受像機１の状態、即ち、受像機１がいずれの種類の映像を表示しているかを検出し、更に、インタフェース部１１２に接続されている録画装置又はチューナ装置等の外部機器３が実行している処理の内容を検出する（Ｓ１０１）。ステップＳ１０１で受像機１の状態を検出した際に、外部機器３が接続されていない場合には、制御部１０１は、外部機器３での動作の内容を検出する処理を行わない。放送の種類の変更若しくはチャンネルの変更等の映像源を変更する処理、ピクチャモードを開始する処理、又は二画面映像の表示を開始する処理等、映像の種類を変更する処理を実行した際に、どの映像源を用いた映像であるか等の映像の種類を示す情報が制御部１０１又は図示しないメモリに記憶されている。制御部１０１は、ステップＳ１０１で、この情報を読み出すことにより、受像機１の状態、即ち、受像機１がどのような種類の映像を表示しているかを検出する。またステップＳ１０１では、制御部１０１は、外部機器３での処理の内容を問い合わせる命令をインタフェース部１１２から外部機器３へ送信し、外部機器３から状態を示す情報をインタフェース部１１２へ入力されることにより、外部機器３での処理の内容を検出する。検出できる外部機器３での処理の内容とは、外部機器３であるチューナ装置が受信する放送のチャンネルの区別、外部機器３である録画装置が実行する再生又は録画等の処理の内容等である。なお、外部機器３は動作の内容が変更される都度、動作の内容を示す情報を送信し、外部機器管理部１１３は外部機器３から送信された情報を記憶し、制御部１０１は、外部機器管理部１１３に記憶された情報を読み出すことにより、外部機器３の状態を検出してもよい。またインタフェース部１１２に複数の外部機器３が接続されている場合は、制御部１０１は、夫々の外部機器３が実行する処理の内容を検出する。
【００４６】
制御部１０１は、検出した受像機１の状態及び外部機器３での処理の内容を示す情報を記憶し、前回検出して記憶してある情報と比較し、受像機１の状態又は外部機器３での処理の内容に変化があるか否かを判定する（Ｓ１０２）。変化がなかった場合は（Ｓ１０２：ＮＯ）、制御部１０１は、処理をステップＳ１０１へ戻す。変化があった場合は（Ｓ１０２：ＹＥＳ）、制御部１０１は、検出した受像機１の状態を示す状態情報、及び外部機器３での処理の内容を示す外部機器情報を送信部１１４からリモコン２へ送信させる（Ｓ１０３）。外部機器３での動作の内容を検出していない状態では、制御部１０１は、ステップＳ１０３で外部機器情報を送信する処理を行わない。
【００４７】
リモコン２は、受像機１から送信された状態情報及び外部機器情報を受信部２４で受信する（Ｓ１０４）。制御部２１は、受信した状態情報及び外部機器情報に基づき、受像機１又は外部機器３の状態を表示し、受像機１又は外部機器３を制御するための状態に応じた操作を受け付けるための画面を、表示部２７に表示させる処理を行う（Ｓ１０５）。ステップＳ１０５では、制御部２１は、受信した状態情報及び外部機器情報の内容に応じた画像データを記憶部２３から読み出し、状態情報が示す受像機１の状態又は外部機器情報が示す外部機器３での処理の内容を文字等で表した画像を含む画面を表示部２７に表示させる処理を描画部２６に実行させる。例えば、受像機１の状態が、放送に基づいた映像を表示する状態である場合は、受信中のチャンネル及び番組名等を表示する画面を表示する。また例えば、外部機器３である録画装置が再生の処理を実行中であり、録画装置から入力されたデータに基づいて受像機１が映像を表示している場合は、録画装置が再生中であることを表示し、更に録画装置を制御するための操作メニューを含む操作画面を表示する。
【００４８】
図５Ａ、５Ｂ及び５Ｃは、リモコン２の表示部２７が表示する画面例を示す模式図である。図５Ａは、受像機１の状態が、放送に基づいた映像を表示する状態であり、更に、外部機器３として録画装置が接続されている場合に表示する画面例である。図５Ａに示した例では、受像機１の状態として、受信中の放送の種類、チャンネル、放送局名及び番組名が表示されている。即ち、放送の種類が「地上波テレビ」であり、チャンネルが「チャンネル００１」、放送局名が「○○放送」、番組名が「今日のニュース」である放送の映像を受像機１で表示している状態であることが示されている。更に、受像機１を制御するための操作メニューを呼び出すための操作ボタン「その他メニュー」と、外部機器３である録画装置を制御するための操作メニューを呼び出すための操作ボタン「ビデオメニュー」とが表示されている。タッチパネル２２１を用いて、使用者が「その他メニュー」又は「ビデオメニュー」を操作した場合は、制御部２１は、夫々の操作メニューを表示部２７に表示させる処理を行う。
【００４９】
図５Ｂは、受像機１がピクチャモードの処理を実行している場合に表示する画面例である。現在の受像機１がピクチャモードの処理を実行している状態であることが表示されている。ピクチャモードは、受像機１が予め内部に記憶してある画像データに基づいて画像を表示する状態であり、ピクチャモードの処理中は受像機１が受信した番組の映像も録画装置が再生した映像も表示していない。また、図５Ｂに示した例では、受像機１の電源をオフにするための操作ボタン「電源オフ」と、ピクチャモードの処理を終了してテレビジョン放送の映像を表示する処理を開始させるための操作ボタン「テレビ」とが表示されている。使用者は、タッチパネル２２１を用いて何れかの操作ボタンをタッチすることにより、受像機１を制御するための操作を行うことができる。
【００５０】
図５Ｃは、外部機器３である録画装置が再生の処理を実行中であり、録画装置から入力されたデータに基づいて受像機１が映像を表示している場合に表示する画面例である。録画装置を制御するための操作メニューが表示されており、「再生」の文字が強調されていることで、外部機器３である録画装置が再生の処理を実行していることが示されている。また再生中は「録画」及び「録画停止」の処理を実行することはできないので、この状況を明らかにするために、「録画」及び「録画停止」のメニュー項目が非表示の状態となっている。このように、制御部２１は、状態情報が示す受像機１の状態及び外部機器情報が示す外部機器３での処理の内容を表示すると共に、受像機１の状態及び外部機器３での処理の内容に応じた操作を受け付けるための操作画面を表示部２７に表示させる。図５Ａ、５Ｂ及び５Ｃに示すように、リモコン２の制御部２１は、状態情報又は外部機器情報に基づき、現在の状態で実行可能な制御を行うためのメニューからなる操作画面を表示する。
【００５１】
なお、図５Ａ、５Ｂ及び５Ｃに示した画面例は一例であり、状態情報又は外部機器情報に基づき、その他の形態の画面がリモコン２の表示部２７に表示可能である。例えば、録画装置で早送りの処理を実行している場合は、「早送り」の文字が強調された画面が表示される。また外部機器３であるチューナ装置で受信した放送の映像を受像機１で表示する状態の場合は、チューナ装置で受信する放送の種類及びチャンネル等がリモコン２の表示部２７に表示される。また、図示しないインターネット等の通信ネットワークに受像機１が接続可能な構成であり、通信ネットワークを介してダウンロードしたデータに基づいた映像を受像機１で表示する状態の場合は、ダウンロードした映像を表示する状態であることがリモコン２の表示部２７に表示される。
【００５２】
制御部２１は、次に、操作画面を視認した使用者がタッチパネル２２１をタッチするか、又は入力ボタン部２２２の何れかの入力ボタンを押下することによる、操作部２２での使用者からの操作を待ち受ける（Ｓ１０６）。ステップＳ１０６で受け付ける操作は、受像機１又は外部機器３の動作を制御するための操作である。操作部２２で使用者からの操作を受け付けた場合は（Ｓ１０６：ＹＥＳ）、制御部２１は、受け付けた操作に応じた制御信号を送信部２５に受像機１へ送信させる（Ｓ１０７）。ステップＳ１０７で送信する制御信号は、ステップＳ１０６で受け付けた操作に応じて、受像機１又は外部機器３の動作を制御するための制御信号である。例えば、チャンネルの変更又は録画装置における再生の停止等を指示する制御信号である。
【００５３】
受像機１は、リモコン２から送信された制御信号を受信部１１５で受信し（Ｓ１０８）、制御部１０１は、受信した制御信号に従った受像機１又は外部機器３の制御を実行する（Ｓ１０９）。制御信号が受像機１の動作を制御するための制御信号である場合は、制御部１０１は、ステップＳ１０９において、制御信号に応じて受像機１の各部分の動作を制御する。例えば、制御信号がチャンネルの変更を指示する制御信号である場合は、制御部１０１は、チューナ部１０２が放送信号を取得すべきチャンネルの選局を変更する処理を行う。また、制御信号が外部機器３の動作を制御するための制御信号である場合は、制御部１０１は、ステップＳ１０９において、制御信号に応じて外部機器３の動作を制御するための制御信号を外部機器管理部１１３及びインタフェース部１１２を介して外部機器３へ送信する。ステップＳ１０９が終了した後は、制御部１０１は、処理をステップＳ１０１へ戻す。通常、ステップＳ１０９で制御を実行した後は、受像機１又は外部機器３の状態が変化するので、ステップＳ１０１〜Ｓ１０５の処理が実行されることにより、制御結果がリモコン２の表示部２７に表示されることになる。
【００５４】
ステップＳ１０６で使用者からの操作の受け付けがない場合は（Ｓ１０６：ＮＯ）、制御部２１は、ステップＳ１０５で表示部２７に画面を表示してから経過した時間を測定し、表示の時点から予め定められた所定時間が経過したか否かを判定する（Ｓ１１０）。なお、制御部２１は、ステップＳ１０４で情報を受信してから経過した時間等、他の時点から経過した時間を測定してもよい。所定時間がまだ経過していない場合は（Ｓ１１０：ＮＯ）、制御部２１は、処理をステップＳ１０６へ戻し、操作の待ち受けを続行する。所定時間が経過した場合は（Ｓ１１０：ＹＥＳ）、制御部２１は、図示しない電源から表示部２７へ供給する電力を低下させることにより、表示部２７での画像表示をオフにする処理を行い（Ｓ１１１）、処理を終了する。受像機１は、随時、ステップＳ１０１から処理を繰り返す。ステップＳ１１１では、供給電力の低下により、表示部２７の表示素子又はバックライトの発光が停止し、表示部２７での画像表示がオフになる。なお、制御部２１は、表示部２７を完全にオフにするのではなく、表示部２７を暗くする処理を行う形態であってもよい。
【００５５】
以上の処理により、本発明では、受像機１は、いずれの種類の映像源に基づいた映像を表示しているか等、受像機１の状態、即ち、どのような種類の映像を表示しているかを検出し、検出した状態に変化があった場合に、受像機１の状態を示す状態情報をリモコン２へ送信する。リモコン２は、状態情報が示す受像機１の状態を表示部２７に表示する。リモコン２の表示部２７には、常に最新の受像機１の状態が表示され、使用者は受像機１の現在の状態を確認することができる。例えば、操作部１１６で使用者からの操作を受け付けてチャンネルを変更した場合、又は番組が終了して新たな番組が開始した場合等、リモコン２を用いた制御とは別の原因で受像機１の状態が変化した場合でも、リモコン２で受像機１の状態を把握することができる。また受像機１は、同様に、受像機１に接続されている録画装置等の外部機器３での処理の内容を検出し、検出した状態に変化があった場合に、外部機器３での処理の内容を示す外部機器情報をリモコン２へ送信する。リモコン２は、外部機器３での処理の内容を表示部２７に表示する。リモコン２の表示部２７には、常に最新の外部機器３での処理の内容が表示され、使用者は外部機器３の現在の動作状況を確認することができる。
【００５６】
更にリモコン２は、状態情報又は外部機器情報に応じて、受像機１又は外部機器３を制御するための操作を受け付けるための操作画面を表示部２７に表示し、受像機１は、リモコン２で受け付けた操作に従って受像機１又は外部機器３の動作を制御する。リモコン２が表示する操作画面は、検出された受像機１の状態及び外部機器３での処理の内容に応じた操作画面となる。受像機１及び外部機器３の現在の状況に応じた内容の操作画面が表示されることにより、現在の状況に応じて実行可能な操作が示され、使用者は、状況に合った操作を容易に選択して適切な制御指示を入力することができる。
【００５７】
表示部２７をオフにしたリモコン２は、次に使用者から操作された場合に、受像機１へ状態情報を要求し、取得した状態情報に基づいて受像機１の状態を表示する処理を行う。図６は、リモコン２で状態情報を要求し、受像機１の状態を表示する処理の手順を示すフローチャートである。リモコン２の制御部２１は、表示部２７がオフになった状態で、圧力センサ２８での圧力の検出を待ち受ける（Ｓ２０１）。圧力センサ２８は、所定値以上の圧力を検出した場合に、圧力を検出したことを示す信号を制御部２１へ入力し、ステップＳ２０１では、制御部２１は、圧力センサ２８から信号が入力された場合に、圧力センサ２８が圧力を検出したと判定する。圧力センサ２８は、使用者がリモコン２を手で所持したときに圧力が掛かる部位に設けられているので、圧力センサ２８が圧力を検出したことは、使用者がリモコン２を手で所持したことを示している。
【００５８】
ステップＳ２０１で圧力センサ２８での圧力の検出がない場合は（Ｓ２０１：ＮＯ）、制御部２１は、振動センサ２９での振動の検出を待ち受ける（Ｓ２０２）。振動センサ２９は、所定値以上の振動を検出した場合に、振動を検出したことを示す信号を制御部２１へ入力し、ステップＳ２０２では、制御部２１は、振動センサ２９から信号が入力された場合に、振動センサ２９が振動を検出したと判定する。振動センサ２９が振動を検出したことは、リモコン２を持ち上げる、叩く又は振る等の操作を、使用者がリモコン２に対して行ったことを示している。振動の検出がない場合は（Ｓ２０２：ＮＯ）、制御部２１は、使用者がタッチパネルをタッチするか又は入力ボタン部２２２の何れかの入力ボタンを使用者が押下する等、操作部２２に対する使用者からの任意の操作の受け付けを待ち受ける（Ｓ２０３）。操作部２２で操作の受け付けがない場合は（Ｓ２０３：ＮＯ）、制御部２１は、処理をステップＳ２０１へ戻す。ステップＳ２０１で圧力を検出した場合（Ｓ２０１：ＹＥＳ）、ステップＳ２０２で振動を検出した場合（Ｓ２０２：ＹＥＳ）、又はステップＳ２０３で操作を受け付けた場合は（Ｓ２０３：ＹＥＳ）、制御部２１は、図示しない電源から表示部２７へ供給する電力を回復させることにより表示部２７での画像表示をオンにする（Ｓ２０４）。ステップＳ２０４により、表示部２７での画像表示が再開される。ステップＳ２０１〜Ｓ２０４は、本発明における待ち受け手段に対応する。制御部２１は、次に、受像機１の状態を示す状態情報の要求を送信部２５に受像機１へ送信させる（Ｓ２０５）。
【００５９】
受像機１は、受信部１１５で状態情報の要求を受信し（Ｓ２０６）、受像機１の制御部１０１は、受像機１の状態、即ち、受像機１がどのような種類の映像を表示しているかを検出し、インタフェース部１１２に接続されている外部機器３が実行している処理の内容を検出する（Ｓ２０７）。制御部１０１は、次に、検出した受像機１の状態を示す状態情報、及び外部機器３での処理の内容を示す外部機器情報を送信部１１４からリモコン２へ送信させる（Ｓ２０８）。
【００６０】
リモコン２は、受像機１から送信された状態情報及び外部機器情報を受信部２４で受信する（Ｓ２０９）。制御部２１は、受信した状態情報及び外部機器情報に基づき、受像機１又は外部機器３の状態を表示し、受像機１又は外部機器３を制御するための状態に応じた操作を受け付けるための画面を、表示部２７に表示させる処理を行う（Ｓ２１０）。ステップＳ２１０で表示される画面は、ステップＳ１０５で表示される画面と同様である。制御部２１は、次に、操作部２２を使用者が操作することによる受像機１又は外部機器３の動作を制御するための操作の受け付けを待ち受ける（Ｓ２１１）。操作部２２で使用者からの操作を受け付けた場合は（Ｓ２１１：ＹＥＳ）、制御部２１は、受け付けた操作に応じた制御信号を送信部２５に受像機１へ送信させる（Ｓ２１２）。
【００６１】
受像機１は、リモコン２から送信された制御信号を受信部１１５で受信し（Ｓ２１３）、制御部１０１は、受信した制御信号に従った受像機１又は外部機器３の制御を実行する（Ｓ２１４）。ステップＳ２１４が終了した後は、制御部１０１は、処理をステップＳ２０７へ戻す。ステップＳ２０７では、制御部１０１は制御後の受像機１又は外部機器３の状態を検出し、ステップＳ２０７〜Ｓ２１０の処理が実行されることにより、制御結果がリモコン２の表示部２７に表示されることになる。
【００６２】
ステップＳ２１１で使用者からの操作の受け付けがない場合は（Ｓ２１１：ＮＯ）、ステップＳ２１０で表示部２７に画面を表示してから経過した時間を測定し、表示の時点から予め定められた所定時間が経過したか否かを判定する（Ｓ２１５）。所定時間がまだ経過していない場合は（Ｓ２１５：ＮＯ）、制御部２１は、処理をステップＳ２１１へ戻し、操作の待ち受けを続行する。所定時間が経過した場合は（Ｓ２１５：ＹＥＳ）、制御部２１は、図示しない電源から表示部２７へ供給する電力を低下させることにより、表示部２７での画像表示をオフにする処理を行い（Ｓ２１６）、処理を終了する。
【００６３】
以上の処理により、本発明では、リモコン２は、表示を行ってから所定時間経過後に表示部２７の表示をオフにし、圧力センサ２８で圧力を検出するか、振動センサ２９で振動を検出するか、又は操作部２２で任意の操作を受け付けた場合に、受像機１へ状態情報の要求を送信する。表示部２７の表示をオフにすることにより、リモコン２は表示部２７の消費電力を削減することができる。またリモコン２は、使用者がリモコン２を手で所持した場合、持ち上げた場合、叩いた場合、振った場合又は操作部２２を操作した場合等、表示部２７がオフの状態で使用者がリモコン２に対して何らかの操作を行った場合に、状態情報の要求を送信することにより、使用者が必要とするときに受像機１又は外部機器３の状態を表示部２７に表示する。例えば、操作部１１６で使用者からの操作を受け付けてチャンネルを変更した場合、又は番組が終了して新たな番組が開始した場合等、リモコン２とは無関係に受像機１の状態が変化している場合でも、必要に応じてリモコン２で受像機１の状態を把握することができる。
【００６４】
以上詳述した如く、本発明においては、受像機１とリモコン２とは常時通信を行うのではなく、受像機１又は外部機器３の動作状況が変化した場合に状態情報及び外部機器情報をリモコン２へ送信するので、受像機１又は外部機器３の動作状況が変化する都度受像機１又は外部機器３の現在の状態がリモコン２に表示される。これにより、本発明の映像表示システムは、通信に必要な消費電力を抑制しながらも、刻々と変化する受像機１又は外部機器３の状態を常時リモコン２で使用者に把握させることができる。使用者は、リモコン２を用いて受像機１及び外部機器３の状態を把握することができるので、状況に応じた適切な操作を行うことができる。また本発明においては、リモコン２は、表示から所定時間経過した後に表示部２７をオフにし、リモコン２を手で所持する等の任意の操作を使用者がリモコン２に対して行った場合に受像機１へ状態情報を要求するので、リモコン２での消費電力を抑制しながらも、使用者は、リモコン２を用いて、必要とするときに受像機１又は外部機器３の状態を把握することができる。
【００６５】
なお、本実施の形態においては、リモコン２において表示から所定時間経過した後に表示部２７をオフにする形態を示したが、本発明は、表示部２７に限らずリモコン２内の各部へ供給する電力を削減することにより、リモコン２全体を省電力状態にする形態であってもよい。リモコン２は、省電力状態においても、操作部２２、圧力センサ２８及び振動センサ２９に対しては、使用者からの操作を受け付ける機能を維持できるだけの電力を供給している。リモコン２全体を省電力状態にすることにより、リモコン２はより消費電力を抑制することができる。
【００６６】
また、本実施の形態においては、変動センサの一例として振動センサ２９を示し、接触センサの一例として圧力センサ２８を示したが、変動センサ及び接触センサはその他の形態であってもよい。変動センサは、例えば、リモコン２に発生する加速度を検出する加速度センサ、リモコン２に加えられた傾きを検出する傾斜センサ、又はリモコン２の回転を検出するジャイロセンサであってもよい。これらの変動センサを用いることにより、使用者がリモコン２を持ち上げる、叩く又は振る等の方法で、リモコン２は使用者による操作を受け付けることができる。また接触センサは、例えば、抵抗膜を用いて接触を検出するセンサ、又は静電容量を測定することで接触を検出するセンサであってもよい。これらの接触センサを用いることにより、使用者がリモコン２を手で所持する又は手で触る等の方法で、リモコン２は使用者による操作を受け付けることができる。
【００６７】
なお、本実施の形態においては、チューナ部１０２でデジタル放送の放送信号を受信する形態を示したが、本発明の受像機１はアナログ放送の放送信号を受信するアナログチューナを備えた形態であってもよい。また本実施の形態においては、本発明の映像表示装置は受像機１であるとしたが、これに限るものではなく、本発明の映像表示装置は、自ら放送を受信する機能を有していない形態であってもよい。
【符号の説明】
【００６８】
１  受像機（映像表示装置）
１０１  制御部
１０２  チューナ部
１１２  インタフェース部
１１３  外部機器管理部
１１４  送信部
１１５  受信部
２  リモコン（遠隔制御装置）
２１  制御部
２２  操作部
２２１  タッチパネル
２２２  入力ボタン部
２４  受信部
２５  送信部
２７  表示部
２８  圧力センサ
２９  振動センサ
３  外部機器
【手続補正２】
【補正対象書類名】特許請求の範囲
【補正対象項目名】全文
【補正方法】変更
【補正の内容】
【特許請求の範囲】
【請求項１】
映像表示装置と、該映像表示装置の動作を制御するための操作を受け付けて制御信号を前記映像表示装置へ送信する遠隔制御装置とを備え、前記映像表示装置及び遠隔制御装置は双方向に通信を行うことができる映像表示システムにおいて、
前記映像表示装置は、
一の種類の映像を表示している状態を検出する状態検出手段と、
該状態検出手段が検出する状態が変化した場合に、該映像表示装置の状態を示す状態情報を前記遠隔制御装置へ送信する手段とを有し、
前記遠隔制御装置は、
表示部と、
前記映像表示装置から状態情報を受信した場合に、受信した状態情報が示す前記映像表示装置の状態を前記表示部に表示する手段とを有すること
を特徴とする映像表示システム。
【請求項２】
前記遠隔制御装置は、
時間経過に応じて、該遠隔制御装置の前記表示部への供給電力を低下させる手段と、
前記表示部への供給電力が低下した状態での任意の操作を待ち受ける手段と、
該手段が任意の操作を受け付けた場合に、前記映像表示装置の状態を示す状態情報の要求を前記映像表示装置へ送信する手段と、
前記表示部への供給電力を回復させる手段とを更に有し、
前記映像表示装置は、
状態情報の要求を前記遠隔制御装置から受信した場合に、該映像表示装置の状態を示す状態情報を前記遠隔制御装置へ送信する手段を更に有すること
を特徴とする請求項１に記載の映像表示システム。
【請求項３】
前記遠隔制御装置は、
前記映像表示装置から受信した状態情報が示す前記映像表示装置の状態に応じた操作を受け付けるための操作画面を前記表示部に表示する手段を更に有すること
を特徴とする請求項１又は２に記載の映像表示システム。
【請求項４】
前記映像表示装置は、
機器が接続可能であり、
接続されている機器が実行している処理の内容を検出する手段と、
該手段が検出した前記機器での処理の内容を示す情報を前記遠隔制御装置へ送信する手段とを更に有し、
前記遠隔制御装置は、
前記映像表示装置から受信した情報が示す前記機器での処理の内容を前記表示部に表示する手段を有すること
を特徴とする請求項１から３までのいずれか一つに記載の映像表示システム。
【請求項５】
前記遠隔制御装置は、
前記機器の動作を制御するための操作を受け付ける手段と、
前記映像表示装置から受信した情報が示す前記機器での処理の内容に応じた操作を受け付けるための操作画面を前記表示部に表示する手段と、
受け付けた操作に応じた前記機器の動作を制御するための制御信号を前記映像表示装置へ送信する手段を更に有し、
前記映像表示装置は、
受信した前記制御信号に従って、前記機器の動作を制御する手段を備えること
を特徴とする請求項４に記載の映像表示システム。
【請求項６】
前記映像表示装置は、
放送を受信する手段と、
外部から映像データの入力を受け付ける手段とを更に備え、
前記状態検出手段は、受信した放送に基づいた映像を表示しているか否か、表示している映像が基づく放送のチャンネル、表示している映像が基づく放送の番組、又は外部から入力されたデータに基づいた映像を表示しているか否かを検出するように構成してあること
を特徴とする請求項１から５までのいずれか一つに記載の映像表示システム。
【請求項７】
外部との間で双方向通信を行うことが可能であり、外部から制御信号を受信し、受信した制御信号に従って動作を制御する映像表示装置において、
一の種類の映像を表示している状態を検出する状態検出手段と、
該状態検出手段が検出する状態が変化した場合に、前記状態検出手段が検出した状態を示す状態情報を外部へ送信する手段と
を備えることを特徴とする映像表示装置。
【請求項８】
外部から状態情報の要求を受信する手段と、
該手段が状態情報の要求を受信した場合に、前記状態検出手段が検出した状態を示す状態情報を外部へ送信する手段と
を更に備えることを特徴とする請求項７に記載の映像表示装置。
【請求項９】
機器が接続可能であり、
接続されている前記機器が実行している処理の内容を検出する手段と、
該手段が検出した前記機器での処理の内容を示す情報を外部へ送信する手段と
を更に備えることを特徴とする請求項７又は８に記載の映像表示装置。
【請求項１０】
放送を受信する手段と、
外部から映像データの入力を受け付ける手段とを更に備え、
前記状態検出手段は、受信した放送に基づいた映像を表示する状態であるか否か、表示している映像が基づく放送のチャンネル、表示している映像が基づく放送の番組、又は外部から入力されたデータに基づいた映像を表示する状態であるか否かを検出するように構成してあること
を特徴とする請求項７から９までのいずれか一つに記載の映像表示装置。
【請求項１１】
映像を表示する表示装置との間で双方向通信を行うことが可能であり、前記表示装置の動作を制御するための操作を受け付けて制御信号を前記表示装置へ送信する遠隔制御装置において、
表示部と、
前記表示装置が一の種類の映像を表示している状態を示す状態情報を受信する手段と、
該手段が状態情報を受信した場合に、受信した状態情報が示す前記表示装置の状態を前記表示部に表示する手段と
を備えることを特徴とする遠隔制御装置。
【請求項１２】
時間経過に応じて、前記表示部への供給電力を低下させる手段と、
前記表示部への供給電力が低下した状態での任意の操作を待ち受ける待ち受け手段と、
該待ち受け手段が任意の操作を受け付けた場合に、状態情報の要求を前記表示装置へ送信する手段と、
前記表示部への供給電力を回復させる手段と
を更に備えることを特徴とする請求項１１に記載の遠隔制御装置。
【請求項１３】
自身の変動を検出する変動センサを更に備え、
前記待ち受け手段は、前記変動センサが所定量以上の変動を検出した場合に操作を受け付けたと判定するように構成してあること
を特徴とする請求項１２に記載の遠隔制御装置。
【請求項１４】
使用者による自身への接触を検出する接触センサを更に備え、
前記待ち受け手段は、前記接触センサが接触を検出した場合に操作を受け付けたと判定するように構成してあること
を特徴とする請求項１２又は１３に記載の遠隔制御装置。
【請求項１５】
受信した状態情報が示す前記表示装置の状態に応じた操作を受け付けるための操作画面を前記表示部に表示する手段を更に有すること
を特徴とする請求項１１から１４までのいずれか一つに記載の遠隔制御装置。
【請求項１６】
前記表示装置に接続されている他の機器が実行している処理の内容を示す情報を前記表示装置から受信する手段と、
受信した前記情報が示す前記他の機器での処理の内容を前記表示部に表示する手段と
を更に備えることを特徴とする請求項１１から１５までのいずれか一つに記載の遠隔制御装置。
【請求項１７】
前記他の機器の動作を制御するための操作を受け付ける手段と、
前記表示装置から受信した情報が示す前記他の機器での処理の内容に応じた操作を受け付けるための操作画面を前記表示部に表示する手段と、
受け付けた操作に応じた前記他の機器の動作を制御するための制御信号を前記表示装置へ送信する手段と
を更に備えることを特徴とする請求項１６に記載の遠隔制御装置。
【手続補正３】
【補正対象書類名】要約書
【補正対象項目名】全文
【補正方法】変更
【補正の内容】
【要約】
【要約】
【課題】消費電力を抑制しながらも遠隔制御装置で映像表示装置の状態を常時把握することができる映像表示システム、並びに、該映像表示システムで使用される映像表示装置及び遠隔制御装置の提供。
【解決手段】
受像機１は、自己の状態、即ち、どのような種類の映像を表示しているかを検出し、状態に変化があった場合に、検出した状態を示す状態情報をリモコン２へ送信し、リモコン２は、受像機１の状態を表示部に表示する。また受像機１は、接続されている外部機器３で実行している処理の内容を検出し、検出した内容を示す情報をリモコン２へ送信し、リモコン２は、外部機器３での処理の内容を表示部に表示する。またリモコン２は、時間経過に応じて表示部の表示をオフにし、使用者がリモコン２を持ち上げた場合等、使用者が任意の操作を行った場合に、状態情報を受像機１に要求し、受像機１又は外部機器３の動作状況を表示部に表示する。
【選択図】図１
【国際調査報告】
2010026717.tif 000011
2010026717.tif 000012
2010026717.tif 000013